(57)【要約】特定のグリコーゲン脱分枝酵素、第２のアミラーゼ、及び洗浄補助剤を含む洗浄組成物、並びにこのような洗浄組成物の製造方法、並びに複合染みからさえもデンプン質の汚れ除去を提供するためのこのような洗浄組成物の使用方法。【特許請求の範囲】
【請求項１】
配列番号１に対して少なくとも６０％、好ましくは少なくとも７０％の同一性を有するグリコーゲン脱分枝酵素と、ｂ）第２のアミラーゼであって、α−１，４−グリコシド結合を切断する活性を有する第２のアミラーゼと、ｃ）洗浄補助剤と、を含む、洗浄組成物。
【請求項２】
前記グリコーゲン脱分枝酵素が、配列番号１に示されるアミノ酸配列と少なくとも７０％、又は少なくとも８０％、又は少なくとも９０％、又は少なくとも９５％の同一性を有する、請求項１に記載の洗浄組成物。
【請求項３】
前記グリコーゲン脱分枝酵素が、選択されたグリコシルヒドロラーゼファミリー１３である、請求項１又は請求項２に記載の洗浄組成物。
【請求項４】
前記グリコーゲン脱分枝酵素が、シュードモナス属（Pseudomonas）、コリネバクテリウム・グルタミクム（Corynebacterium glutamicum）又は大腸菌（E.coli）、好ましくは大腸菌から得ることができる、請求項１〜３のいずれか一項に記載の洗浄組成物。
【請求項５】
前記第２のアミラーゼが、Ｂａｃｉｌｌｕｓ  ＳＰ７２２由来の野生型アミラーゼと少なくとも８０％の同一性を有する、請求項１〜４のいずれか一項に記載の洗浄組成物。
【請求項６】
前記洗浄補助剤が漂白系を含む、請求項１〜５のいずれか一項に記載の洗浄組成物。
【請求項７】
前記洗浄補助剤が、非石鹸アニオン性界面活性剤又は非石鹸アニオン性界面活性剤の混合物を含む、請求項１〜６のいずれか一項に記載の洗浄組成物。
【請求項８】
前記非石鹸アニオン性界面活性剤が、非石鹸アニオン性界面活性剤及び非イオン性界面活性剤を含む界面活性剤系の一部であり、好ましくは、非石鹸アニオン性界面活性剤と非イオン性界面活性剤との重量比が１００：１〜１：１である、請求項７に記載の洗浄組成物。
【請求項９】
前記非石鹸アニオン性界面活性剤が、任意にアルコキシル化アルキルサルフェート界面活性剤及びこれらの混合物と任意に組み合わせた直鎖アルキルベンゼンスルホネートを含む、請求項１〜８のいずれか一項に記載の洗浄組成物。
【請求項１０】
１重量％の脱イオン水溶液において９未満、好ましくは７〜８．９のｐＨをもたらす、請求項１〜９のいずれか一項に記載の洗浄組成物。
【請求項１１】
前記組成物が、漂白剤、好ましくは過酸素源及び漂白触媒及び／又は漂白活性化剤を含む漂白剤を含む、請求項１〜１０のいずれか一項に記載の洗浄組成物。
【請求項１２】
前記グリコーゲン脱分枝酵素、第２のアミラーゼ及び洗浄補助剤を混合することを含む、請求項１〜１１のいずれか一項に記載の洗浄組成物の製造方法。
【請求項１３】
表面、好ましくは織物の洗浄方法であって、洗浄工程において、請求項１〜１１のいずれか一項に記載の洗浄組成物を水と混合して水性液を形成することと、表面、好ましくは織物に前記水性液を接触させることと、を含む、方法。
【請求項１４】
前記表面を、１〜５０分間、好ましくは５〜４０分間、最も好ましくは５〜３０分間前記水性液と接触させる、請求項１３に記載の方法。
【請求項１５】
前記水性液の温度が、５〜４０℃、好ましくは５〜３０℃、好ましくは５〜２０℃である、請求項１３又は１４に記載の方法。
【発明の詳細な説明】
【技術分野】
【０００１】
（関連出願の相互参照）
本出願は、参照によって本明細書に組み込まれる、コンピュータで読み取り可能な形式の配列表を含む。
【０００２】
（発明の分野）
本開示は、α−１，６−グリコシド結合を切断することができる特定のイソアミラーゼ酵素（グリコーゲン脱分枝酵素）、及びこれらの混合物を含む洗浄組成物に関する。本発明はまた、このような洗浄組成物の製造方法及び使用方法にも関する。
【背景技術】
【０００３】
洗濯用洗剤の配合者は、洗剤組成物の性能を改善することを常に目標としている。デンプン質の汚れは、グリコシド結合により結合されたグルコース単位からなる高分子炭水化物を含む。多くのデンプン汚れの大部分はアミロペクチンであり、α−１，６グリコシド結合を含有する。デンプン質の染み除去に役立つ、洗剤配合者によって使用される１つの一般的な成分は、典型的にはデンプン中のα−１，４グリコシド結合を攻撃する主な活性を有するアミラーゼ酵素である。しかしながら、デンプン質の汚れは多くの場合、より化学的に複合している汚れの一部であり、油及びタンパク質などの他の汚れ物質と組み合わされ、完全な汚れ除去を極めて困難にする。例えば、アミラーゼをプルラナーゼと組み合わせて使用して、α−１，４及びα−１，６グリコシド結合を攻撃する酵素を一緒にすることなど、改善されたデンプン分解を送達しようとする試みにもかかわらず、依然として不完全な汚れ除去が生じる。一部の特定のプルラナーゼは、グリコーゲン脱分枝活性を有するが、その活性は、典型的には、イソアミラーゼが活性を持たない特定のプルラン基質に対してである。理論に束縛されるものではないが、複合汚れ中のタンパク質、脂肪、及び他の成分は、デンプン汚れを封鎖すると考えられる。
【発明の概要】
【発明が解決しようとする課題】
【０００４】
したがって、デンプン質汚れ洗浄用の染み除去効果を提供する改善された洗浄組成物の必要性が依然として存在する。また、染みが、異なる汚れ、例えばデンプンと完全に混和しているタンパク質及び／又は脂肪との複合混合物の一部である場合、デンプン質汚れの改善された洗浄の必要性も存在する。
【０００５】
本発明の発明者らは、本来はデンプン分解に使用されないものを含む、特定の種類のα−１，６分解酵素が非常に有効であることを見出した。
【０００６】
更に、本発明の発明者らは、驚くべきことに、α−１，４グリコシド結合に対する主な活性を有するアミラーゼと特定のグリコーゲン脱分枝酵素との組み合わせが、複合汚れにおける優れた染み除去をもたらし得ることを見出した。
【課題を解決するための手段】
【０００７】
本発明は、配列番号１に対して少なくとも６０％、好ましくは少なくとも７０％の同一性を有するグリコーゲン脱分枝酵素と、ｂ）第２のアミラーゼであって、α−１，４−グリコシド結合を切断する活性を有する第２のアミラーゼと、ｃ）洗浄補助剤と、を含む、洗浄組成物に関する。
【０００８】
本発明はまた、配列番号１に対して６０％の同一性を有するグリコーゲン脱分枝酵素、ｂ）αアミラーゼ、及び洗浄補助剤を混合することを含む、洗浄組成物の製造方法にも関する。
【０００９】
本発明はまた、表面、好ましくは織物の洗浄方法にも関し、この方法は、本明細書に記載される洗浄組成物を水と混合して水性液を形成する工程と、洗濯工程において、表面、好ましくは織物と水性液を接触させる工程と、を含む。
【発明を実施するための形態】
【００１０】
本開示の組成物及びプロセスの構成要素は、以下により詳細に記載されている。
【００１１】
本明細書で使用する場合、「特許請求の範囲」で使用される場合の冠詞「ａ」及び「ａｎ」は、特許請求又は記載されているもののうちの１つ以上を意味すると理解される。本明細書で使用する場合、用語「含む（include）」、「含む（includes）」、及び「含んでいる（including）」は、非限定的であることを意味する。本発明の組成物は、本発明の成分を含み、それらから本質的になり、又はそれらからなることができる。
【００１２】
本明細書では、「実質的に含まない（substantially free of）」又は「実質的に含まない（substantially free from）」という用語が使用されてもよい。これは、指示される材料が最小限の量であり、組成物の一部を形成するように意図的にその組成物に添加されたものでないこと、又は好ましくは、分析的に検出可能な濃度で存在しないことを意味する。それは、指示される材料が意図的に含まれる他の材料のうちの１つの中に不純物としてのみ存在する組成物を含むことを意味する。指示される材料は、あったとしても、組成物の１重量％未満、又は０．１重量％未満、又は０．０１重量％未満、又は更には０重量％の濃度で存在してもよい。
【００１３】
本明細書で使用するとき、用語「エーテルアミン」は、用語「ポリエーテルアミン」を含み、１つ以上のエーテル基を有するアミンを含む。
【００１４】
別途記載のない限り、全ての成分又は組成物の濃度は、当該成分又は組成物の活性部分に関するものであり、かかる成分又は組成物の市販の供給源に存在し得る不純物、例えば残留溶媒又は副生成物は除外される。
【００１５】
本明細書における全ての温度は、特に断らない限り、摂氏（℃）である。特に指示がない限り、本明細書における全ての測定は、２０℃及び大気圧下で行われる。
【００１６】
本開示の全ての実施形態において、全ての比率（％）は、特に記載のない限り、全組成物の重量に対するものである。特に記載のない限り、全ての比は重量比である。
【００１７】
本明細書の全体をとおして与えられる全ての最大数値限定は、それよりも小さい全ての数値限定を、かかるより小さい数値限定があたかも本明細書に明確に記載されているかのように含むものと理解すべきである。本明細書の全体をとおして与えられる全ての最小数値限定は、それよりも高い全ての数値限定を、かかるより高い数値限定があたかも本明細書に明確に記載されているかのように含む。本明細書の全体をとおして与えられる全ての数値範囲は、かかるより広い数値範囲内に含まれるより狭い全ての数値範囲を、かかるより狭い数値範囲があたかも全て本明細書に明確に記載されているかのように含む。
【００１８】
本明細書で使用するとき、用語「アルコキシ」は、Ｃ１〜Ｃ８アルコキシ、及びブチレンオキシド、グリシドールオキシド、エチレンオキシド又はプロピレンオキシドなどの繰り返し単位を有するポリオールのＣ１〜Ｃ８アルコキシ誘導体を含むことを意図する。
【００１９】
本明細書で使用するとき、別途記載のない限り、用語「アルキル」及び「アルキル末端保護」は、Ｃ１〜Ｃ１８アルキル基、又は更にはＣ１〜Ｃ６アルキル基を含むことを意図する。
【００２０】
本明細書で使用するとき、別途記載のない限り、用語「アリール」は、Ｃ３〜Ｃ１２アリール基を含むことを意図する。
【００２１】
本明細書で使用するとき、別途記載のない限り、用語「アリールアルキル」及び「アルカリール」は等価であり、それぞれ、典型的にはＣ１〜Ｃ１８アルキル基及び一態様ではＣ１〜Ｃ６アルキル基を有する、芳香族部分に結合しているアルキル部分を含む基を含むことを意図する。
【００２２】
本明細書において、用語「エチレンオキシド」、「プロピレンオキシド」及び「ブチレンオキシド」は、それぞれ、これらの典型的な表記である「ＥＯ」、「ＰＯ」及び「ＢＯ」で示される場合がある。
【００２３】
本明細書で使用するとき、用語「洗浄及び／又は処理組成物」は、別途記載のない限り、顆粒、粉末、液体、ゲル、ペースト、単位用量、バー形態及び／又はフレークタイプの洗浄剤及び／又は布地処理組成物を含み、布地を洗濯するための製品、布地用柔軟化組成物、布地強化組成物、布地フレッシュニング組成物、及び布地をケア及びメンテナンスするための他の製品、並びにこれらの組み合わせが挙げられるが、これらに限らない。このような組成物は、洗浄工程の前に用いるための前処理組成物であっても、すすぎ添加用組成物、並びに漂白添加剤及び／又は「シミ取りスティック」、又は前処理組成物、又は乾燥機添加用シートなどの基材を有する製品などの洗浄助剤であってもよい。
【００２４】
本明細書で使用するとき、「セルロース基材」は、１００重量％のセルロース、又は少なくとも２０重量％、若しくは少なくとも３０重量％、若しくは少なくとも４０重量％、若しくは少なくとも５０重量％、若しくは更には少なくとも６０重量％のセルロースを含む任意の基材を含むことを意図する。セルロースは、木材、綿、亜麻布、黄麻及び麻布に見出すことができる。セルロース基材は、粉末、繊維、パルプの形態、並びに粉末、繊維及びパルプから形成される物品の形態であってよい。セルロース繊維としては、綿、レーヨン（再生セルロース）、アセテート（酢酸セルロース）、トリアセテート（三酢酸セルロース）及びこれらの混合物が挙げられるが、これらに限定されない。典型的には、セルロース基材は、綿を含む。セルロース繊維から形成される物品としては、布地などの織物製品が挙げられる。パルプから形成される物品としては、紙が挙げられる。
【００２５】
本明細書で使用するとき、用語「極大吸光係数」は、４００ナノメートル〜７５０ナノメートルの範囲における吸収極大の波長（本明細書では極大波長とも称する）におけるモル吸光係数を表すことを意図する。
【００２６】
本明細書で使用される場合、「平均分子量」は、その分子量分布によって決定されるように、重量平均分子量として報告され、それらの製造プロセスの結果として、本明細書に開示されるポリマーは、それらのポリマー部分中に繰り返し単位の分布を含有することができる。
【００２７】
本明細書で使用するとき、用語「変異体」とは、野生型又は参照配列とは異なるアミノ酸配列を含有するポリペプチドを指す。変異体ポリペプチドは、参照又は野生型ヌクレオチド配列に対するヌクレオチドの欠失、挿入又は置換によって、上記の野生型又は参照配列とは異なり得る。参照又は野生型配列は、完全長ネイティブポリペプチド配列又は完全長ポリペプチド配列の任意の他の断片であってよい。ポリペプチド変異体は、一般的に、参照配列と少なくとも約７０％のアミノ酸配列同一性を有するが、参照配列と７５％のアミノ酸配列同一性、参照配列と８０％のアミノ酸配列同一性、参照配列と８５％のアミノ酸配列同一性、参照配列と８６％のアミノ酸配列同一性、参照配列と８７％のアミノ酸配列同一性、参照配列と８８％のアミノ酸配列同一性、参照配列と８９％のアミノ酸配列同一性、参照配列と９０％のアミノ酸配列同一性、参照配列と９１％のアミノ酸配列同一性、参照配列と９２％のアミノ酸配列同一性、参照配列と９３％のアミノ酸配列同一性、参照配列と９４％のアミノ酸配列同一性、参照配列と９５％のアミノ酸配列同一性、参照配列と９６％のアミノ酸配列同一性、参照配列と９７％のアミノ酸配列同一性、参照配列と９８％のアミノ酸配列同一性、参照配列と９８．５％のアミノ酸配列同一性、又は参照配列と９９％のアミノ酸配列同一性を含んでいてもよい。
【００２８】
本明細書において使用するとき、用語「固体」は、顆粒、粉末、バー及び錠剤の製品形態を含む。
【００２９】
本明細書で使用するとき、用語「流体」は、液体、ゲル、ペースト及び気体の製品形態を含む。
【００３０】
洗浄組成物
本開示は、洗浄組成物及び／又は処理組成物に関する。洗浄組成物は、洗濯用又は硬質表面洗浄組成物又は添加剤であってもよい。硬質表面洗浄組成物の例としては、例えば、食洗機又は手洗い向けであり得る食器洗浄用洗剤又は食器洗浄用の添加剤が挙げられる。洗浄組成物は、好ましくは食器洗浄組成物、好ましくは自動食器洗浄洗剤又は洗濯用組成物（重質液体又は固体洗剤組成物など）である。
【００３１】
洗浄組成物は、任意の好適な形態であり得る。組成物は、液体、固体又はこれらの組み合わせから選択することができる。本明細書において使用する場合、「液体」は、自由流動性液体、並びにペースト、ゲル、泡、及びムースを含む。液体の非限定的な例には、軽質及び強力液体洗剤組成物、布地柔軟剤、洗濯で一般に使用される洗剤ゲル、漂白剤及び洗濯添加剤が挙げられる。気体（例えば、懸濁気泡）又は固体（例えば、粒子）は、液体に含まれてもよい。本明細書において使用する場合、「固体」は、粉末、粒塊、及びこれらの混合物を含むが、これらに限定されない。固体の非限定的な例としては、顆粒、マイクロカプセル、ビーズ、ヌードル、及び真珠光沢ボールが挙げられる。特にビーズ、ヌードル、及び真珠光沢ボールは、布地処理用の添加剤であってもよい。固体組成物は、洗浄中の利点、前処理の利点、及び／又は審美的効果であるがこれらに限定されない技術的利点を提供することができる。
【００３２】
洗浄組成物は、錠剤などのユニット化された用量物品の形態、又はパウチ形態であってよい。このようなパウチは、典型的には、組成物を少なくとも部分的に封入する水溶性フィルム、例えば、ポリビニルアルコール水溶性フィルムを含む。好適なフィルムは、ＭｏｎｏＳｏｌ，ＬＬＣ（Ｉｎｄｉａｎａ，ＵＳＡ）から入手可能である。当該組成物は、単一区画パウチに封入しても、又は多区画パウチに封入してもよい。多区画パウチは、少なくとも２つ、少なくとも３つ、又は少なくとも４つの区画を有し得る。多区画パウチは、並べて及び／又は重ねておかれた区画を含むことができる。パウチ内に含まれる組成物は、液体、固体（粉末など）、又はこれらの組み合わせであってよい。
【００３３】
グリコーゲン脱分枝酵素
グリコーゲン脱分枝酵素は、グリコシドヒドロラーゼである。好ましくは、グリコーゲン脱分枝酵素はＥＣ３．２．１．６８に属する。好ましくは、グリコーゲン脱分枝酵素は１，６−グルコシド結合を分解し、最も好ましくは、限界デキストリン及びホスホリラーゼ限界デキストリンに対して異なる基質特異性を示す。好ましくは、グリコーゲン脱分枝酵素はファミリー１３由来である。グリコーゲン脱分枝酵素は、配列番号１に対して少なくとも６０％の配列同一性、好ましくは配列番号１に対して少なくとも７０％、より好ましくは少なくとも７５％、又は少なくとも８０％、又は少なくとも８５％、又は少なくとも９０％、又は少なくとも９１、又は少なくとも９２、又は少なくとも９３、又は少なくとも９４、又は少なくとも９５％の同一性を有する。
【００３４】
好ましくは、グリコーゲン脱分枝酵素は、配列番号１の変異体である。グリコーゲン脱分枝酵素は、酵母、真菌、及び細菌などの任意の好適な起源のものであってよい。しかしながら、好ましくは、これらは細菌である。好適な微生物源は、例えば、シュードモナス属（Pseudomonas）、コリネバクテリウム・グルタミクム（Corynebacterium glutamicum）、又は大腸菌（E.coli）であり、大腸菌が好ましい。
【００３５】
グリコーゲン脱分枝酵素は、単独で又は組み合わせて使用することができる。これらは、精製方法を問わず、未精製形態又は精製形態で使用することができる。これらは、液体形態で、又は酵素顆粒として既知であることも多い粒子（固体形態）の形態で洗浄組成物に組み込まれてもよい。これらは、他の酵素、例えば他のアミラーゼ、リパーゼ、プロテアーゼ、セルラーゼ、マンナナーゼ、ペクチン酸リアーゼ、ヌクレアーゼ、クチナーゼ、又はこれらの混合物とのプレミックスによって洗浄組成物に添加されてもよい。プレミックスは、液体又は固体形態であってもよい。好ましくは、イソアミラーゼは、組成物１ｇ当たり少なくとも０．０１ｍｇ、好ましくは約０．０５〜約１０ｍｇ、より好ましくは約０．１〜約６ｍｇ、とりわけ約０．２〜約５ｍｇの活性イソアミラーゼの量で、本発明の洗浄組成物中に存在する。
【００３６】
配列番号１
ＭＴＱＬＡＩＧＫＰＡＰＬＧＡＨＹＤＧＱＧＶＮＦＴＬＦＳＡＨＡＥＲＶＥＬＣＶＦＤＡＮＧＱＥＨＲＹＤＬＰＧＨＳＧＤＩＷＨＧＹＬＰＤＡＲＰＧＬＲＹＧＹＲＶＨＧＰＷＱＰＡＥＧＨＲＦＮＰＡＫＬＬＩＤＰＣＡＲＱＩＤＧＥＦＫＤＮＰＬＬＨＡＧＨＮＥＰＤＹＲＤＮＡＡＩＡＰＫＣＶＶＶＶＤＨＹＤＷＥＤＤＡＰＰＲＴＰＷＧＳＴＩＩＹＥＡＨＶＫＧＬＴＹＬＨＰＥＩＰＶＥＩＲＧＴＹＫＡＬＧＨＰＶＭＩＮＹＬＫＱＬＧＩＴＡＬＥＬＬＰＶＡＱＦＡＳＥＰＲＬＱＲＭＧＬＳＮＹＷＧＹＮＰＶＡＭＦＡＬＨＰＡＹＡＣＳＰＥＴＡＬＤＥＦＲＤＡＩＫＡＬＨＫＡＧＩＥＶＩＬＤＩＶＬＮＨＳＡＥＬＤＬＤＧＰＬＦＳＬＲＧＩＤＮＲＳＹＹＷＩＲＥＤＧＤＹＨＮＷＴＧＣＧＮＴＬＮＬＳＨＰＡＶＶＤＹＡＳＡＣＬＲＹＷＶＥＴＣＨＶＤＧＦＲＦＤＬＡＡＶＭＧＲＴＰＥＦＲＱＤＡＰＬＦＴＡＩＱＮＣＰＶＬＳＱＶＫＬＩＡＥＰＷＤＩＡＰＧＧＹＱＶＧＮＦＰＰＬＦＡＥＷＮＤＨＦＲＤＡＡＲＲＦＷＬＨＹＤＬＰＬＧＡＦＡＧＲＦＡＡＳＳＤＶＦＫＲＮＧＲＬＰＳＡＡＩＮＬＶＴＡＨＤＧＦＴＬＲＤＣＶＣＦＮＨＫＨＮＥＡＮＧＥＥＮＲＤＧＴＮＮＮＹＳＮＮＨＧＫＥＧＬＧＧＳＬＤＬＶＥＲＲＲＤＳＩＨＡＬＬＴＴＬＬＬＳＱＧＴＰＭＬＬＡＧＤＥＨＧＨＳＱＨＧＮＮＮＡＹＣＱＤＮＱＬＴＷＬＤＷＳＱＡＳＳＧＬＴＡＦＴＡＡＬＩＨＬＲＫＲＩＰＡＬＶＥＮＲＷＷＥＥＧＤＧＮＶＲＷＬＮＲＹＡＱＰＬＳＴＤＥＷＱＮＧＰＫＱＬＱ
ＩＬＬＳＤＲＦＬＩＡＩＮＡＴＬＥＶＴＥＩＶＬＰＡＧＥＷＨＡＩＰＰＦＡＧＥＤＮＰＶＩＴＡＶＷＱＧＰＡＨＧＬＣＶＦＱＲ
【００３７】
第２のアミラーゼ：
好適なα−アミラーゼとしては、細菌又は真菌起源のものが挙げられる。化学的又は遺伝的に改変された突然変異体（変異体）が含まれる。好ましいアルカリ性α−アミラーゼは、Ｂａｃｉｌｌｕｓの菌種、例えば、Ｂａｃｉｌｌｕｓ  ｌｉｃｈｅｎｉｆｏｒｍｉｓ、Ｂａｃｉｌｌｕｓ  ａｍｙｌｏｌｉｑｕｅｆａｃｉｅｎｓ、Ｂａｃｉｌｌｕｓ  ｓｔｅａｒｏｔｈｅｒｍｏｐｈｉｌｕｓ、Ｂａｃｉｌｌｕｓ  ｓｕｂｔｉｌｉｓ、又は他のＢａｃｉｌｌｕｓ属、例えばＢａｃｉｌｌｕｓ  ｓｐ．ＮＣＢＩ１２２８９、ＮＣＢＩ１２５１２、ＮＣＢＩ１２５１３、ＤＳＭ９３７５（米国特許第７，１５３，８１８号）、ＤＳＭ１２３６８、ＤＳＭＺ番号１２６４９、ＫＳＭ  ＡＰ１３７８（国際公開第９７／００３２４号）、ＫＳＭ  Ｋ３６又はＫＳＭ  Ｋ３８（欧州特許第１，０２２，３３４号）に由来する。好ましいアミラーゼとしては、以下が挙げられる：
（ａ）国際公開第９４／０２５９７号、同第９４／１８３１４号、同第９６／２３８７４号及び同第９７／４３４２４号に記載されている変異体、特に国際公開第９６／２３８７４号に配列番号２として列挙されている酵素に対して、以下の位置：１５、２３、１０５、１０６、１２４、１２８、１３３、１５４、１５６、１８１、１８８、１９０、１９７、２０２、２０８、２０９、２４３、２６４、３０４、３０５、３９１、４０８及び４４４のうちの１つ以上が置換されている変異体。
（ｂ）国際公開第９６／２３８７３号、同第００／６００６０号、同第０６／００２６４３号、及び同第２０１７／１９２６５７号に記載の変異体、とりわけ国際公開第０６／００２６４３号において配列番号１２に列挙されているＡＡ５６０酵素に対して以下の位置に１つ以上の置換を有する変異体：
２６、３０、３３、８２、３７、１０６、１１８、１２８、１３３、１４９、１５０、１６０、１７８、１８２、１８６、１９３、２０３、２１４、２３１、２４６、２５６、２５７、２５８、２６９、２７０、２７２、２８３、２９５、２９６、２９８、２９９、３０３、３０４、３０５、３１１、３１４、３１５、３１８、３１９、３３９、３４５、３６１、３７８、３８３、４１９、４２１、４３７、４４１、４４４、４４５、４４６、４４７、４５０、４６１、４７１、４８２、４８４、好ましくは、Ｄ１８３＊及びＧ１８４＊の欠失も含む変異体。
（ｃ）国際公開第０６／００２６４３号に記載される配列番号４、Ｂａｃｉｌｌｕｓ  ＳＰ７２２由来の野生型酵素と少なくとも９０％の同一性を示す変異体、特に１８３及び１８４位に欠失を有する変異体、並びに、両方とも参照によって本明細書に組み込まれる、国際公開第００／６００６０号に記載されている変異体、又は同第２０１８／１４４３９９号に開示されている変異体。
（ｄ）Ｂａｃｉｌｌｕｓ  ｓｐ．７０７（米国特許第６，０９３，５６２号の配列番号７）由来の野生型酵素と少なくとも９５％の同一性を示す変異体、及びこれに記載されるもの、特に以下の突然変異：Ｍ２０２、Ｍ２０８、Ｓ２５５、Ｒ１７２及び／又はＭ２６１のうちの１つ以上含をむもの。好ましくは、当該アミラーゼは、Ｍ２０２Ｌ、Ｍ２０２Ｖ、Ｍ２０２Ｓ、Ｍ２０２Ｔ、Ｍ２０２Ｉ、Ｍ２０２Ｑ、Ｍ２０２Ｗ、Ｓ２５５Ｎ及び／又はＲ１７２Ｑのうちの１つ以上を含む。特に好ましいのは、Ｍ２０２Ｌ又はＭ２０２Ｔ変異を含むものである。
（ｅ）国際公開第０９／１４９１３０号に記載されている変異体、好ましくは国際公開第０９／１４９１３０号において配列番号１又は配列番号２と少なくとも９０％の同一性を有する変異体、Ｇｅｏｂａｃｉｌｌｕｓ  Ｓｔｅａｒｏｐｈｅｒｍｏｐｈｉｌｕｓに由来する野生型酵素又はその切断版。
（ｆ）国際公開第２０１６／０９１６８８号の配列番号１と少なくとも８９％の同一性を示す変異体、及び同第２０１６／０９１６８８号に記載されるもの、特にＨ１８３＋Ｇ１８４位での欠失及び４０５、４２１、４２２、及び／又は４２８位に１つ以上の変異を含む変異体。
（ｇ）Ｐａｅｎｉｂａｃｉｌｌｕｓ  ｃｕｒｄｌａｎｏｌｙｔｉｃｕｓ  ＹＫ９由来の「ＰｃｕＡｍｙｌ  α−アミラーゼ」（国際公開第２０１４０９９５２３号の配列番号３）と少なくとも６０％のアミノ酸配列同一性を示す変異体、又は同第２０１４０９９５２３号に記載されるもの。
（ｈ）Ｃｙｔｏｐｈａｇａ属由来の「ＣｓｐＡｍｙ２アミラーゼ」（国際公開第２０１４１６４７７７号の配列番号６）と少なくとも６０％のアミノ酸配列同一性を示す変異体、例えば同第２０１４１６４７７７号に記載される変異体。
（ｉ）枯草菌（国際公開第２００９１４９２７１号の配列番号１）と少なくとも８５％のアミノ酸配列同一性を示す変異体、例えば同第２００９１４９２７１号に記載される変異体。
（ｊ）受託番号ＡＢ０５１１０２によるＢａｃｉｌｌｕｓ  ｓｐ．ＫＳＭ−Ｋ３８由来の野生型アミラーゼと少なくとも９０％の同一性を示す変異体。
（ｋ）Ｂａｃｉｌｌｕｓ属（国際公開第２０１６１８０７４８号の配列番号７）からのＡＡＩ１０の成熟アミノ酸配列と少なくとも８０％の同一性を示す変異体、例えば同第２０１６／１８０７４８号に記載される変異体。
（ｌ）Ａｌｉｃｙｃｌｏｂａｃｉｌｌｕｓ属アミラーゼ（国際公開第２０１６１８０７４８号の配列番号８）の成熟アミノ酸配列と少なくとも８０％の同一性を示す変異体、例えば同第２０１６／１８０７４８号に記載される変異体。
【００３８】
好適な市販のα−アミラーゼとしては、ＤＵＲＡＭＹＬ（登録商標）、ＬＩＱＵＥＺＹＭＥ（登録商標）、ＴＥＲＭＡＭＹＬ（登録商標）、ＴＥＲＭＡＭＹＬ  ＵＬＴＲＡ（登録商標）、ＮＡＴＡＬＡＳＥ（登録商標）、ＳＵＰＲＡＭＹＬ（登録商標）、ＳＴＡＩＮＺＹＭＥ（登録商標）、ＳＴＡＩＮＺＹＭＥ  ＰＬＵＳ（登録商標）、ＦＵＮＧＡＭＹＬ（登録商標）、ＡＴＬＡＮＴＩＣ（登録商標）、ＩＮＴＥＮＳＡ（登録商標）、ＥＶＥＲＥＳＴ（登録商標）及びＢＡＮ（登録商標）（Ｎｏｖｏｚｙｍｅｓ  Ａ／Ｓ（Ｂａｇｓｖａｅｒｄ，Ｄｅｎｍａｒｋ））、ＫＥＭＺＹＭ（登録商標）ＡＴ  ９０００（Ｂｉｏｚｙｍ  Ｂｉｏｔｅｃｈ  Ｔｒａｄｉｎｇ  ＧｍｂＨＷｅｈｌｉｓｔｒａｓｓｅ  ２７ｂ  Ａ−１２００  Ｗｉｅｎ  Ａｕｓｔｒｉａ）、ＲＡＰＩＤＡＳＥ（登録商標）、ＰＵＲＡＳＴＡＲ（登録商標）、ＥＮＺＹＳＩＺＥ（登録商標）、ＯＰＴＩＳＩＺＥ  ＨＴ  ＰＬＵＳ（登録商標）、ＰＯＷＥＲＡＳＥ（登録商標）、ＰＲＥＦＥＲＥＮＺ  Ｓ１０００（登録商標）及びＰＲＥＦＥＲＥＮＺ  Ｓ２０００（登録商標）を含むＰＲＥＦＥＲＥＮＺ  Ｓ（登録商標）シリーズ、並びにＰＵＲＡＳＴＡＲ  ＯＸＡＭ（登録商標）（ＤｕＰｏｎｔ．，Ｐａｌｏ  Ａｌｔｏ，Ｃａｌｉｆｏｒｎｉａ）、及びＫＡＭ（登録商標）（Ｋａｏ，１４−１０  Ｎｉｈｏｎｂａｓｈｉ  Ｋａｙａｂａｃｈｏ，１−ｃｈｏｍｅ，Ｃｈｕｏ−ｋｕ  Ｔｏｋｙｏ  １０３−８２１０，Ｊａｐａｎ）が挙げられる。一態様では、適切なアミラーゼとしては、ＡＴＬＡＮＴＩＣ（登録商標）、ＳＴＡＩＮＺＹＭＥ（登録商標）、ＰＯＷＥＲＡＳＥ（登録商標）、ＩＮＴＥＮＳＡ（登録商標）、ＳＴＡＩＮＺＹＭＥ  ＰＬＵＳ（登録商標）、ＥＸＰＥＤＡＳＥ（登録商標）、及びこれらの混合物が挙げられる。
【００３９】
特に好ましい第２のアミラーゼは、Ｂａｃｉｌｌｕｓ  ｓｐ．ＤＳＭ１２６４９に内在するＡＡ５６０αアミラーゼから誘導されるアミラーゼから選択され、好ましくは以下の突然変異：Ｒ１１８Ｋ、Ｄ１８３＊、Ｇ１８４＊、Ｎ１９５Ｆ、Ｒ３２０Ｋ、及び／又はＲ４５８Ｋのうち１つ以上を含む。
【００４０】
洗浄補助剤
本明細書に記載される洗浄組成物は、１つ以上の洗浄補助剤を含む。好適な補助剤は、好ましくは、少なくとも界面活性剤、好ましくは界面活性剤の混合物を含む界面活性剤系を含む。好適な補助剤は、以下の成分の非限定的なリストのうちの１つ以上を含んでいてもよい：界面活性剤、界面活性剤系、布地ケア有益剤；洗浄性酵素；沈着助剤；レオロジー変性剤；ビルダー；キレート剤；漂白剤；漂白剤（bleaching agent）；漂白剤前駆体；漂白促進剤；漂白触媒；漂白活性化剤、封入有益剤（香料がコア内にある場合を含む）；香料；香料充填ゼオライト；デンプン封入アコード；ポリグリセロールエステル；ホワイトニング剤；真珠光沢剤；追加の酵素；酵素安定剤系；アニオン性染料の定着剤を含む除去薬、キレート剤／錯化剤、及びこれらの混合物；光学増白剤又は蛍光剤；汚れ放出ポリマー及び／又は汚れ懸濁ポリマー及び／又は移染阻害ポリマーを含むがこれらに限定されないポリマー；分散剤；消泡剤；非水性溶媒；脂肪酸；アルコキシル化ポリアリール／ポリアルキルフェノール、抑泡剤、例えば、シリコーン抑泡剤；カチオンデンプン；スカム分散剤；布地シェーディング染料；着色剤；乳白剤；酸化防止剤；トルエンスルホネート、クメンスルホネート及びナフタレンスルホネートなどのヒドロトロープ；色斑；着色ビーズ、球体、又は押出物；粘土柔軟化剤；抗菌剤；第四級アンモニウム化合物；及び／又は、溶媒の混合物を含む溶媒又は溶媒系。第四級アンモニウム化合物は、布地柔軟剤などの布地増強組成物中に特に存在してもよく、正電荷を有する多原子イオンの構造ＮＲ４＋（Ｒはアルキル基又はアリール基）である第四級アンモニウムカチオンを含む。好ましくは、本発明の組成物は、界面活性剤、又はより好ましくは界面活性剤の組み合わせを含む界面活性剤系を含む。好ましくは、本発明の組成物は、セルロースポリマー、特に変性セルロースポリマーを含む。他の好ましい補助剤は、以下に記載するような布地シェーディング剤、及び／又は、例えば、リパーゼ、ヌクレアーゼ、アミラーゼ、プロテアーゼ、マンナナーゼ、ペクチン酸リアーゼ、セルラーゼ、クチナーゼ、及びこれらの混合物から選択される、以下に記載するような追加の酵素を含む。洗浄組成物は、洗浄用セルラーゼを含み得る。
【００４１】
界面活性剤系
洗浄組成物は、好ましくは洗浄組成物の約１重量％〜約８０重量％、又は５重量％〜約６０重量％、好ましくは約８重量％〜約５０重量％、より好ましくは約１２重量％〜約４０重量％の量の界面活性剤系を好ましくは含む。好適な界面活性剤は、天然源及び／又は再生可能資源に由来してよい。
【００４２】
界面活性剤系は、好ましくは非石鹸アニオン性界面活性剤を含み、より好ましくは、直鎖アルキルベンゼンスルホネート、アルキルスルホネート、アルキルアルコキシサルフェート、特にアルキルエトキシサルフェート、パラフィンスルホネート、及びこれらの混合物からなる群から選択されるアニオン性界面活性剤を含み、好ましくは直鎖アルキルベンゼンスルホネートを含む。界面活性剤系は、好ましくは、非イオン性界面活性剤、カチオン性界面活性剤、両性界面活性剤、双性界面活性剤、及びこれらの混合物からなる群から選択される界面活性剤を更に含む。界面活性剤系は、好ましくは非イオン性界面活性剤を含み、非イオン性界面活性剤は、エトキシル化非イオン性界面活性剤を含んでよい。
【００４３】
本発明の洗剤組成物にとって最も好ましい界面活性剤系は、全組成物の約１重量％〜約４０重量％、好ましくは約６重量％〜３５重量％、より好ましくは約８重量％〜約３０重量％のアニオン性界面活性剤を含み、好ましくは、任意にアルキルアルコキシサルフェート界面活性剤を追加的に含む直鎖アルキルベンゼンスルホネート、及び、非イオン性界面活性剤、好ましくはエトキシル化非イオン性界面活性剤を含む。好ましくは、アニオン性界面活性剤の非イオン性界面活性剤に対する重量比は、２００：１〜１：２、より好ましくは１００：１〜１：１である。
【００４４】
アニオン性界面活性剤
非石鹸アニオン性界面活性剤は、サルフェート又はスルホネートアニオン性界面活性剤又はこれらの混合物、好ましくは直鎖アルキルベンゼンスルホネート、アルキルサルフェート、アルコキシル化アルキルサルフェート、又はこれらの混合物、より好ましくは直鎖アルキルベンゼンスルホネートとアルコキシル化アルキルサルフェートとの混合物を含んでもよい。好ましくは、直鎖アルキルベンゼンスルホネートとアルコキシル化アルキルサルフェートとの比、より好ましくは直鎖アルキルベンゼンスルホネートとエトキシル化アルキルサルフェートとの比は、１：２〜２０：１、好ましくは１．１：１〜１５：１、より好ましくは１．２：１〜１０：１、更により好ましくは１．３：１〜５：１、最も好ましくは１．４：１〜３：１である。
【００４５】
好ましくは、アルコキシル化アルキルサルフェートは、０．５〜７、好ましくは１〜５、より好ましくは２〜４、最も好ましくは約３の平均エトキシル化度を有するエトキシル化アルキルサルフェートである。あるいは、非石鹸界面活性剤は、１つ以上のアルコキシル化アルキルサルフェート、好ましくはエトキシル化アルキルサルフェート、及び任意にアルキルサルフェートの混合物を含み、この混合物は、０．５〜７、好ましくは１〜５、より好ましくは２〜４、最も好ましくは約３の平均エトキシル化度を有する。アルキルサルフェート及び／又はアルコキシル化アルキルサルフェートは、好ましくは、平均８〜１８個の炭素原子、好ましくは１０〜１６個の炭素原子、最も好ましくは１２〜１４個の炭素原子を含むアルキル鎖を有する。最も好ましくは、アルコキシル化アルキルサルフェートは、そのアルキル鎖中に平均１２〜１４個の炭素原子を含み、約３の平均エトキシル化度を有するエトキシル化アルキル鎖である。アルコキシル化アルキルサルフェート界面活性剤のアルキル鎖は、直鎖又は分枝鎖又はこれらの混合物であってもよい。
【００４６】
直鎖アルキルベンゼンスルホネートは、Ｃ１０〜Ｃ１６直鎖アルキルベンゼンスルホネート若しくはＣ１１〜Ｃ１４直鎖アルキルベンゼンスルホネート又はこれらの混合物であってよい。
【００４７】
例示的な直鎖アルキルベンゼンスルホネートは、Ｃ１０〜Ｃ１６アルキルベンゼンスルホン酸又はＣ１１〜Ｃ１４アルキルベンゼンスルホン酸である。「直鎖状」とは、本明細書では、アルキル基が直鎖状であることを意味する。アルキルベンゼンスルホネートは、当該技術分野において周知である。
【００４８】
他の好適なアニオン性洗浄性界面活性剤としては、アルキルエーテルカルボキシレートが挙げられる。
【００４９】
好適なアニオン性洗浄性界面活性剤は、塩形態であってよく、好適な対イオンとしては、ナトリウム、カルシウム、マグネシウム、アミノアルコール、及びこれらの任意の組み合わせが挙げられる。好ましい対イオンはナトリウムである。
【００５０】
非イオン性界面活性剤
好ましくは、非イオン性界面活性剤は、組成物の０．１重量％〜１２重量％、好ましくは０．２重量％〜１０重量％、最も好ましくは０．５重量％〜７重量％、最も好ましくは１〜３重量％の量で存在する。好ましくは、非イオン性界面活性剤は、脂肪族アルコールエトキシレートを含む。
【００５１】
好適なアルコールエレキシレート非イオン性界面活性剤としては、脂肪族アルコールとエチレンオキシドとの縮合生成物が挙げられる。脂肪族アルコールのアルキル鎖は、直鎖又は分枝鎖、置換又は非置換のいずれかであってよい。出発アルコールは、天然由来であってもよく、例えば、天然油から出発して、又は合成的に誘導されてもよく、例えば、オキソ−、修飾オキソ−又はフィッシャー・トロプシュ法から得られるアルコールであってもよい。オキソ−プロセス由来アルコールの例としては、Ｓａｓｏｌ社製のＬｉａｌ及びＩｓａｌｃｈｅｍアルコール、及びＢＡＳＦ社のＬｕｔｅｎｓｏｌアルコールが挙げられる。修飾オキソプロセス由来アルコールの例としては、Ｓｈｅｌｌ社製のＮｅｏｄｏｌアルコールが挙げられる。フィッシャー・トロプシュ由来アルコールとしては、Ｓａｓｏｌ社製のＳａｆｏｌアルコールが挙げられる。アルコールエトキシレートのアルコキシレート鎖は、エトキシレート基のみで作製される。
【００５２】
好ましくは、脂肪アルコールエトキシレートは、５〜３０、好ましくは８〜１８、より好ましくは１０〜１６、最も好ましくは１２〜１５の平均アルキル炭素鎖長を有する。
【００５３】
好ましくは、脂肪アルコールエトキシレートは、０．５〜２０、好ましくは１〜１５、より好ましくは５〜１２、更により好ましくは６〜１０、最も好ましくは７〜８の平均エトキシル化度を有する。
【００５４】
本明細書に用いるのに好適なものは、式Ｒ（ＯＣ２Ｈ４）ｎＯＨ［式中、Ｒは、約８〜約２２個の炭素原子を含有する脂肪族炭化水素ラジカルからなる群から選択され、ｎの平均値は約５〜約２２である］のエトキシル化アルコールである。一態様では、特に有用な材料は、Ｃ９〜Ｃ１６アルコールと、アルコール１モル当たり約５〜約２０モルのエチレンオキシドと、の縮合生成物である。別の態様では、特に有用な材料は、Ｃ１２〜Ｃ１６アルコールと、アルコール１モル当たり約６〜約９モルのエチレンオキシドと、の縮合生成物である。
【００５５】
非イオン性界面活性剤の他の非限定例としては、ＳｈｅｌｌからのＮＥＯＤＯＬ（登録商標）非イオン性界面活性剤などの修飾オキソアルコール系のＣ１２〜Ｃ１８アルキルエトキシレート；ＳａｓｏｌからのＳＡＦＯＬ（登録商標）非イオン性界面活性剤などのフィッシャー・トロプシュオキソアルコール系のＣ１２〜Ｃ１５アルキルエトキシレート；ＨｕｎｔｓｍａｎからのＳｕｒｆｏｎｉｃ（登録商標）非イオン性界面活性剤などの天然又はチーグラーアルコール系のＣ１２〜Ｃ１８アルキルエトキシレート；Ｃ１４〜Ｃ２２中鎖分岐状アルキルアルコキシレート（ＢＡＥｘ［式中、ｘは１〜３０である］）を挙げてよい。
【００５６】
本明細書での使用に好適なその他の非イオン性界面活性剤には、脂肪アルコールポリグリコールエーテル、アルキルポリグルコシド、及び脂肪酸グルカミドが挙げられる。
【００５７】
両性界面活性剤
界面活性剤系は、アミンオキシドなどの両性界面活性剤を含み得る。好ましいアミンオキシドは、アルキルジメチルアミンオキシド又はアルキルアミドプロピルジメチルアミンオキシド、より好ましくはアルキルジメチルアミンオキシド、特にココジメチルアミンオキシドである。アミンオキシドは、直鎖状又は中鎖分岐状アルキル部分を有し得る。典型的な直鎖状アミンオキシドとしては、１つのＲ１  Ｃ８〜１８アルキル部分と、Ｃ１〜３アルキル基及びＣ１〜３ヒドロキシアルキル基からなる群から選択される２つのＲ２及びＲ３部分とを含有する水溶性アミンオキシドが挙げられる。好ましくは、アミンオキシドは、式Ｒ１−Ｎ（Ｒ２）（Ｒ３）Ｏにより特徴付けられ、式中、Ｒ１はＣ８〜１８アルキルであり、Ｒ２及びＲ３は、メチル、エチル、プロピル、イソプロピル、２−ヒドロキシエチル、２−ヒドロキシプロピル及び３−ヒドロキシプロピルからなる群から選択される。直鎖状アミンオキシド系界面活性剤としては、特に、直鎖状Ｃ１０〜Ｃ１８アルキルジメチルアミンオキシド及び直鎖状Ｃ８〜Ｃ１２アルコキシエチルジヒドロキシエチルアミンオキシドを挙げることができる。好ましいアミンオキシドとしては、直鎖状Ｃ１０、直鎖状Ｃ１０〜Ｃ１２、及び直鎖状Ｃ１２〜Ｃ１４アルキルジメチルアミンオキシドが挙げられる。本明細書で使用する場合、「中鎖分岐状（mid-branched）」とは、アミンオキシドが、ｎ１個の炭素原子を有する１つのアルキル部分を有し、このアルキル部分における１つのアルキル分岐がｎ２個の炭素原子を有することを意味する。アルキル分枝は、アルキル部分の窒素のα炭素に位置する。アミンオキシドにおけるこの種の分枝は、当該技術分野において、内部アミンオキシドとしても知られている。ｎ１とｎ２との合計は、１０〜２４個の炭素原子、好ましくは１２〜２０個、より好ましくは１０〜１６個である。１つのアルキル部分と１つのアルキル分枝とが対称となるように、１つのアルキル部分の炭素原子数（ｎ１）は、１つのアルキル分枝の炭素原子数（ｎ２）とおよそ同じでなければならない。本明細書で使用するとき、「対称」とは、本明細書で使用される中鎖分枝状アミンオキシドの少なくとも５０重量％、より好ましくは少なくとも７５重量％〜１００重量％において、｜ｎ１−ｎ２｜が５以下、好ましくは４、最も好ましくは０〜４の炭素原子であることを意味する。アミンオキシドは、Ｃ１〜３アルキル、Ｃ１〜３ヒドロキシアルキル基、又は平均で約１〜約３個のエチレンオキシド基を含有するポリエチレンオキシド基から独立して選択される２つの部分を更に含んでいてもよい。好ましくは、２つの部分は、Ｃ１〜３アルキルから選択され、より好ましくはいずれもＣ１アルキルとして選択される。
【００５８】
双性イオン性界面活性剤
他の好適な界面活性剤としては、アルキルベタイン、アルキルアミドベタイン、アミダゾリニウムベタイン、スルホベタイン（ＩＮＣＩスルタイン）並びにホスホベタインなどのベタインが挙げられ、好ましくは次の式（Ｉ）：
Ｒ１−［ＣＯ−Ｘ（ＣＨ２）ｎ］ｘ−Ｎ＋（Ｒ２）（Ｒ３）−（ＣＨ２）ｍ−［ＣＨ（ＯＨ）−ＣＨ２］ｙ−Ｙ−  （Ｉ）
［式中、
Ｒ１は、飽和又は不飽和Ｃ６〜２２アルキル残基であり、好ましくはＣ８〜１８アルキル残基、特に飽和Ｃ１０〜１６アルキル残基、例えば飽和Ｃ１２〜１４アルキル残基であり、
Ｘは、ＮＨ、Ｃ１〜４アルキル残基Ｒ４を有するＮＲ４、Ｏ又はＳであり、
ｎは、１〜１０の数、好ましくは２〜５、特に３であり、
ｘは、０又は１、好ましくは１であり、
Ｒ２、Ｒ３は独立して、ヒドロキシエチル、好ましくはメチルなどのヒドロキシ置換される場合のあるＣ１〜４アルキル残基であり、
ｍは、１〜４の数、特に１、２又は３であり、
ｙは、０又は１であり、
Ｙは、ＣＯＯ、ＳＯ３、ＯＰＯ（ＯＲ５）Ｏ又はＰ（Ｏ）（ＯＲ５）Ｏであり、式中、Ｒ５は、水素原子Ｈ又はＣ１〜４アルキル残基である］に合致する。
【００５９】
好ましいベタインは、式（Ｉａ）のアルキルベタイン、式（Ｉｂ）のアルキルアミドプロピルベタイン、式（Ｉｃ）のスルホベタイン、及び式（Ｉｄ）のアミドスルホベタイン：
Ｒ１−Ｎ＋（ＣＨ３）２−ＣＨ２ＣＯＯ−  （Ｉａ）
Ｒ１−ＣＯ−ＮＨ（ＣＨ２）３−Ｎ＋（ＣＨ３）２−ＣＨ２ＣＯＯ−−（Ｉｂ）
Ｒ１−Ｎ＋（ＣＨ３）２−ＣＨ２ＣＨ（ＯＨ）ＣＨ２ＳＯ３−（Ｉｃ）
Ｒ１−ＣＯ−ＮＨ−（ＣＨ２）３−Ｎ＋（ＣＨ３）２−ＣＨ２ＣＨ（ＯＨ）ＣＨ２ＳＯ３−（Ｉｄ）、［式中、Ｒ１１は、式Ｉと同じ意味である］である。特に好ましいベタインは、カルボベタイン［式中、Ｙ−＝ＣＯＯ−］であり、特に式（Ｉａ）及び（Ｉｂ）のカルボベタインであり、式（Ｉｂ）のアルキルアミドベタインがより好ましい。
【００６０】
好適なベタイン及びスルホベタインの例は、アーモンドアミドプロピルベタイン、アプリコットアミドプロピルベタイン、アボカドアミドプロピルベタイン、ババスアミドプロピルベタイン、ベヘナミドプロピルベタイン、ベヘニルベタイン、ベタイン、キャノーラミドプロピルベタイン、カプリル／カプラミドプロピルベタイン、カルニチン、セチルベタイン、コカミドエチルベタイン、コカミドプロピルベタイン、コカミドプロピルヒドロキシスルタイン、ココベタイン、ココヒドロキシスルタイン、ココ／オレアミドプロピルベタイン、ココスルタイン、デシルベタイン、ジヒドロキシエチルオレイルグリシネート、ジヒドロキシエチル大豆グリシネート、ジヒドロキシエチルステアリルグリシネート、ジヒドロキシエチルタローグリシネート、ＰＧ−ベタインのプロピルジメチコーン、エルカミドプロピルヒドロキシスルタイン、水素添加タローベタイン、イソステアラミドプロピルベタイン、ラウラミドプロピルベタイン、ラウリルベタイン、ラウリルヒドロキシスルタイン、ラウリルスルタイン、ミルクアミドプロピルベタイン、ミンクアミドプロピルベタイン、ミリスタミドプロピルベタイン、ミリスチルベタイン、オレアミドプロピルベタイン、オレアミドプロピルヒドロキシスルタイン、オレイルベタイン、オリーブアミドプロピルベタイン、ヤシアミドプロピルベタイン、パルミタミドプロピルベタイン、パルミトイルカルニチン、ヤシ仁アミドプロピルベタイン、ポリテトラフルオロエチレンアセトキシプロピルベタイン、リシノール酸アミドプロピルベタイン、セサミドプロピルベタイン、ソイアミドプロピルベタイン、ステアラミドプロピルベタイン、ステアリルベタイン、タローアミドプロピルベタイン、タローアミドプロピルヒドロキシスルタイン、タローベタイン、タロージヒドロキシエチルベタイン、ウンデシレンアミドプロピルベタイン、及び小麦胚芽アミドプロピルベタインである［ＩＮＣＩに従って表記］。
【００６１】
例えば、好ましいベタインは、ココアミドプロピルベタインである。
【００６２】
脂肪酸
界面活性剤は、脂肪酸、中和脂肪酸石鹸、又はこれらの混合物を含み得る。好ましくは、液体洗濯洗剤組成物は、当該液体洗濯洗剤組成物の１０重量％未満、好ましくは８重量％未満、より好ましくは５重量％未満、最も好ましくは１重量％〜５重量％の脂肪酸、中和脂肪酸石鹸、又はそれらの混合物を含む。
【００６３】
中和脂肪酸石鹸は、アルカリ金属中和されたもの、アミン中和されたもの、又はこれらの混合物であり得る。アルカリ金属は、ナトリウム、カリウム、マグネシウム、又はこれらの混合物、好ましくはナトリウムから選択され得る。アミンは、好ましくは、モノエタノールアミン、ジエタノールアミン、トリエタノールアミン、又はこれらの混合物から選択されるアルカノールアミン、より好ましくはモノエタノールアミンである。
【００６４】
脂肪酸、中和脂肪酸石鹸、又はこれらの混合物は、パーム核脂肪酸、ココナッツ脂肪酸、菜種脂肪酸、中和パーム核脂肪酸、中和ココナッツ脂肪酸、中和された菜種脂肪酸、又はこれらの混合物、好ましくは中和パーム核脂肪酸から選択され得る。
【００６５】
布地シェーディング染料
組成物は、布地シェーディング剤を含み得る。好適な布地シェーディング剤としては、染料、染料−クレイ結合体、及び顔料が挙げられる。好適な染料としては、低分子染料及びポリマー染料が挙げられる。好適な小分子染料としては、ダイレクトブルー、ダイレクトレッド、ダイレクトバイオレット、アシッドブルー、アッシドレッド、アッシドバイオレット、ベーシックブルー、ベーシックバイオレット及びベーシックレッド、又はこれらの混合物の色指数（Colour Index、Ｃ．Ｉ．）分類に区分される染料からなる群から選択される小分子染料が挙げられる。好ましい染料は、アゾ、アントラキノン、トリアリールメタン、及びアジン染料、並びにこれらの混合物、最も好ましくはアゾ染料から選択される。小分子染料は、例えば、ソルベントバイオレット１３、アシッドバイオレット５０、アシッドバイオレット５１、ベーシックバイオレット４、ダイレクトバイオレット９、ダイレクトバイオレット９９、ダイレクトバイオレット６６、及びこれらの混合物を含む。ポリマーが、セルロースポリマー、ポリビニルアルコールポリマー、ポリビニルピロリドンポリマー、又は最も好ましくはポリアルコキシレートポリマーを含むポリマー染料が最も好ましい。最も好ましい染料は、アルコキシル化アゾ又はアントラキノン又はトリアリールメタン染料などのアルコキシル化染料を含む。アルコキシル化アゾ染料、特にアルコキシル化チオフェン染料が好ましく、例えば、以下のものである：
【００６６】
【化１】
2021513590.tif 000002
式中、添え字ｘ及びｙは、独立して、１〜１０から選択される。
【００６７】
キレート剤
組成物は、好ましくは錯化剤補助剤を含む。好適なキレート剤は、ホスホネートキレート剤を含み、例えば、１−ヒドロキシエタン−１，１−ジホスホン酸（ＨＥＤＰ）；ジエチレントリアミンペンタメチレンホスホン酸（ＤＴＰＭＰ、ＣＷベース）；２−ホスホノブタン１，２，４−トリカルボン酸（ＰＢＴＣ）；アミノトリメチレンホスホン酸（ＡＴＭＰ）；エチレンジアミンテトラメチレンホスホン酸（ＥＤＴＭＰ）；ジエチレントリアミンペンタメチレンホスホン酸（ＤＴＰＭＰ）；アミノトリメチレンホスホン酸（ＡＴＭＰ）；上記物質の塩、及びこれらの任意の組み合わせから選択される。
【００６８】
好ましい錯化剤は、好ましくは以下のうちの１つ以上から選択される、任意の立体異性体又は立体異性体の混合物の形態である、アミノ酸誘導体錯化剤を含む：
（ｉ）メチルグリシン二酢酸及びその塩（ＭＧＤＡ）
（ｉｉ）Ｌ−グルタミン酸、Ｎ，Ｎ−二酢酸及びその塩（ＧＬＤＡ）、及び
（ｉｉｉ）Ｌ−アスパラギン酸Ｎ，Ｎ−二酢酸及びその塩（ＡＳＤＡ）
【００６９】
好ましくは、組成物は、０．１重量％〜１０重量％のメチルグリシン二酢酸及びその塩（ＭＧＤＡ）を含む。
【００７０】
酸形態のキレート剤／錯化剤を配合することが好ましい場合がある。あるいは、塩形態のアミノ酸誘導体錯化剤を配合することが好ましい場合があり、特に好ましいのはナトリウム塩形態である。
【００７１】
好適なＭＧＤＡ塩は、ＢＡＳＦ製である。好適なＧＬＤＡ塩は、Ａｋｚｏ  Ｎｏｂｅｌ及びＳｈｏｗａ  Ｄｅｎｋｏ製である。好適なＡＳＤＡ塩は、Ｍｉｔｓｕｂｉｓｈｉ  Ｒａｙｏｎ製である。
【００７２】
アルコキシル化ポリアリール／ポリアルキルフェノール
本発明の組成物は、ポリアリール／ポリアルキルフェノール補助剤を含んでもよい。好適なアルコキシル化ポリアリール／ポリアルキルフェノールは、以下の構造を有する：
【００７３】
【化２】
2021513590.tif 000003
［式中、Ｒ１は、直鎖又は分枝鎖Ｃ３〜Ｃ１５アルキル基及びアリール基から選択され、Ｘはエトキシ又はプロポキシ基から選択され、ｎは２〜７０であり、Ｔは、Ｈ、ＳＯ３−、ＣＯＯ−及びＰＯ３２−から選択される］
【００７４】
アルコキシル化ポリアリール又はアルコキシル化ポリアルキルフェノールは、好ましくは、群（ｉ）〜（ｉｖ）から選択される。
（ｉ）以下の構造の非荷電アルコキシル化トリスチリルフェノール：
【００７５】
【化３】
2021513590.tif 000004
［式中、ｎは２〜７０から選択され、より好ましくはｎは１０〜５４から選択され、最も好ましくはｎ＝１６又は２０である］。
（ｉｉ）以下の構造のアニオン性アルコキシル化トリスチリルフェノール：
【００７６】
【化４】
2021513590.tif 000005
［式中、Ｒは、ＳＯ３−、ＣＯＯ−及びＰＯ３２−から選択され、好ましくは、ＳＯ３−及びＣＯＯ−から選択され、式中、ｎは、２〜５４から選択される］。
（ｉｉｉ）以下の構造の非荷電アルコキシル化トリ（ｎ−ブチル）フェノール：
【００７７】
【化５】
2021513590.tif 000006
［式中、ｎは２〜５０から選択される］。
（ｉｖ）以下の構造のアニオン性アルコキシル化トリ（ｎ−ブチル）フェノール：
【００７８】
【化６】
2021513590.tif 000007
［式中、Ｒは、ＳＯ３−、ＣＯＯ−及びＰＯ３２−から選択され、好ましくは、ＳＯ３−及びＣＯＯ−から選択され、式中、ｎは、６〜５０から選択される］。
【００７９】
このような化合物は、産業用供給元から、例えば、Ｓｏｌｖａｙから商品名Ｓｏｐｒｏｐｈｏｒで、Ｃｌａｒｉａｎｔから商品名Ｅｍｕｌｓｏｇｅｎで、Ａｏｋｉ  Ｏｉｌ  Ｉｎｄｕｓｔｒｉａｌ  Ｃｏ．から商品名Ｂｌａｕｎｏｎで、Ｓｔｅｐａｎから商品名Ｍａｋｏｎで、ＴＯＴＯ  Ｃｈｅｍｉｃａｌ  Ｉｎｄｕｓｔｒｙ  Ｃｏ．から商品名Ｓｏｒｐｏｌで入手可能である。好適な化合物の具体例は、全てＣｌａｒｉａｎｔの、Ｅｍｕｌｓｏｇｅｎ（登録商標）ＴＳ１６０、Ｈｏｓｔａｐａｌ（登録商標）ＢＶ  ｃｏｎｃ．、Ｓａｐｏｇｅｎａｔ（登録商標）Ｔ１１０、又はＳａｐｏｇｅｎａｔ（登録商標）Ｔ１３９である。
【００８０】
アルコキシル化ポリアリール／ポリアルキルフェノールは、０．５〜２０重量％、好ましくは１〜１５重量％、最も好ましくは３〜１０重量％の濃度で存在し得る。
【００８１】
追加の酵素
好ましくは、本発明の組成物は、例えば、リパーゼ、プロテアーゼ、ヌクレアーゼ、ペクチン酸リアーゼ、セルラーゼ、クチナーゼ、マンナナーゼ、ガラクタナーゼ、及びこれらの混合物から選択される追加の酵素を含む。洗浄組成物は、好ましくは、ヌクレアーゼから選択される群からの１種類以上の追加の酵素を含む。洗浄組成物は、好ましくは、アミラーゼ、リパーゼ、プロテアーゼ、ペクチン酸リアーゼ、セルラーゼ、クチナーゼ、及びこれらの混合物の群から選択される群からの１種類以上の追加の酵素を含む。好ましくは、洗浄組成物は、アミラーゼ及びプロテアーゼ及びこれらの混合物から選択される１種類以上の追加の酵素を含む。好ましくは、洗浄組成物は、リパーゼから選択される１種類以上の追加の酵素を含む。組成物は、ヘミセルラーゼ、ペルオキシダーゼ、キシラナーゼ、ペクチナーゼ、ケラチナーゼ、レダクターゼ、オキシダーゼ、フェノールオキシダーゼ、リポキシゲナーゼ、リグニナーゼ、プルラナーゼ、タンナーゼ、ペントサナーゼ、マラナーゼ、β−グルカナーゼ、アラビノシダーゼ、ヒアルロニダーゼ、コンドロイチナーゼ、ラッカーゼ、及びこれらの混合物も含んでいてもよい。当該組成物中に存在する場合、上記の追加の酵素は、当該組成物の約０．００００１重量％〜約２重量％、約０．０００１重量％〜約１重量％、又は更には約０．００１重量％〜約０．５重量％の酵素タンパク質濃度で存在してもよい。好ましくは、各追加の酵素は、洗濯水性液中に、０．０１ｐｐｍ〜１０００ｐｐｍの量で、又は０．０５ｐｐｍ又は０．１ｐｐｍから７５０ｐｐｍ又は５００ｐｐｍまでの活性酵素タンパク質の量で存在する。
【００８２】
ヌクレアーゼ
好ましくは、本組成物はヌクレアーゼ酵素を追加的に含む。ヌクレアーゼ酵素は、核酸のヌクレオチドサブユニット間のホスホジエステル結合を切断することができる酵素である。好適なヌクレアーゼ酵素は、デオキシリボヌクレアーゼ又はリボヌクレアーゼ酵素、又はこれらの機能的断片であってもよい。機能的断片又は部分とは、ＤＮＡ骨格におけるホスホジエステル結合の切断を触媒するヌクレアーゼ酵素の部分を意味し、したがって、触媒活性を保持する当該ヌクレアーゼタンパク質の領域である。したがって、それは、その機能が維持されている酵素及び／又は変異体及び／又は誘導体及び／又はホモログの、切頭されているが、機能的なバージョンを含む。
【００８３】
好ましくは、ヌクレアーゼ酵素は、好ましくは、以下の分類のいずれかから選択されるデオキシリボヌクレアーゼである：Ｅ．Ｃ．３．１．２１．ｘ［式中、ｘ＝１、２、３、４、５、６、７、８又は９である］、Ｅ．Ｃ．３．１．２２．ｙ［式中、ｙ＝１、２、４又は５である］、Ｅ．Ｃ．３．１．３０．ｚ［式中、ｚ＝１又は２である］、又はＥ．Ｃ．３．１．３１．１、及びこれらの混合物。分類Ｅ．Ｃ．３．１．２１．ｘ由来のヌクレアーゼ酵素、特に、ｘ＝１のものが特に好ましい。分類Ｅ．Ｃ．３．１．２２．ｙ中のヌクレアーゼは、５’ヒドロキシルで開裂し、３’ホスホモノエステルを遊離させる。分類Ｅ．Ｃ．３．１．３０．ｚ中の酵素は、ＤＮＡ及びＲＮＡの両方で作用し、５’−ホスホモノエステルを遊離させるため、好ましい場合がある。分類Ｅ．Ｃ．３．１．３１．２からの好適な例は、米国特許公開第２０１２／０１３５４９８（Ａ）号、例えば、その中の配列番号３に記載されている。このような酵素は、ｃ−ＬＥＣＴＡからＤＥＮＡＲＡＳＥ（登録商標）酵素として市販されている。分類Ｅ．Ｃ．３．１．３１．１由来のヌクレアーゼ酵素は、３’ホスホモノエステルを生成する。
【００８４】
好ましくは、ヌクレアーゼ酵素は、微生物の酵素を含む。ヌクレアーゼ酵素は、真菌又は細菌起源であってよい。細菌ヌクレアーゼが最も好ましい場合がある。真菌ヌクレアーゼが最も好ましい場合がある。
【００８５】
微生物ヌクレアーゼは、Ｂａｃｉｌｌｕｓ  ｌｉｃｈｅｎｉｆｏｒｍｉｓ又はＢａｃｉｌｌｕｓ  ｓｕｂｔｉｌｉｓの細菌ヌクレアーゼなどのＢａｃｉｌｌｕｓから得ることができる。好ましいヌクレアーゼは、Ｂａｃｉｌｌｕｓ  ｌｉｃｈｅｎｉｆｏｒｍｉｓ、好ましくはＥＩ−３４−６株から得ることができる。好ましいデオキシリボヌクレアーゼは、本明細書における配列番号５に規定するＥＩ−３４−６株ｎｕｃＢデオキシリボヌクレアーゼに由来するＢａｃｉｌｌｕｓ  ｌｉｃｈｅｎｉｆｏｒｍｉｓの変異体、又はその変異体、例えば、それに対して少なくとも７０％、又は７５％、又は８０％、又は８５％、又は９０％、又は９５％、９６％、９７％、９８％、９９％又は１００％の同一性を有するものである。他の好適なヌクレアーゼは、本明細書における配列番号６に規定されるか、又はその変異体、例えば、それに対して少なくとも７０％、又は７５％、又は８０％、又は８５％、又は９０％、又は９５％、９６％、９７％、９８％、９９％又は１００％の同一性を有するものである。他の好適なヌクレアーゼは、本明細書における配列番号７に規定されるか、又はその変異体、例えば、それに対して少なくとも７０％、又は７５％、又は８０％、又は８５％、又は９０％、又は９５％、９６％、９７％、９８％、９９％又は１００％の同一性を有するものである。
【００８６】
真菌ヌクレアーゼは、Ａｓｐｅｒｇｉｌｌｕｓ、例えば、Ａｓｐｅｒｇｉｌｌｕｓ  ｏｒｙｚａｅから得ることができる。好ましいヌクレアーゼは、本明細書における配列番号８に規定するＡｓｐｅｒｇｉｌｌｕｓ  ｏｒｙｚａｅ、又はその変異体、例えば、それに対して少なくとも６０％、又は７０％、又は７５％、又は８０％、又は８５％、又は９０％、又は９５％、９６％、９７％、９８％、９９％又は１００％の同一性を有するものから得ることができる。
【００８７】
別の好適な真菌ヌクレアーゼは、Ｔｒｉｃｈｏｄｅｒｍａ、例えば、Ｔｒｉｃｈｏｄｅｒｍａ  ｈａｒｚｉａｎｕｍから得ることができる。好ましいヌクレアーゼは、本明細書における配列番号９に規定されるＴｒｉｃｈｏｄｅｒｍａ  ｈａｒｚｉａｎｕｍ、又はその変異体、例えば、それに対して少なくとも６０％、又は７０％、又は７５％、又は８０％、又は８５％、又は９０％、又は９５％、９６％、９７％、９８％、９９％又は１００％の同一性を有するものから得ることができる。
【００８８】
他の真菌ヌクレアーゼとしては、Ａｓｐｅｒｇｉｌｌｕｓ  ｏｒｙｚａｅ  ＲＩＢ４０、Ａｓｐｅｒｇｉｌｌｕｓ  ｏｒｙｚａｅ  ３．０４２、Ａｓｐｅｒｇｉｌｌｕｓ  ｆｌａｖｕｓ  ＮＲＲＬ３３５７、Ａｓｐｅｒｇｉｌｌｕｓ  ｐａｒａｓｉｔｉｃｕｓ  ＳＵ−１、Ａｓｐｅｒｇｉｌｌｕｓ  ｎｏｍｉｕｓ  ＮＲＲＬ１３１３７、Ｔｒｉｃｈｏｄｅｒｍａ  ｒｅｅｓｅｉ  ＱＭ６ａ、Ｔｒｉｃｈｏｄｅｒｍａ  ｖｉｒｅｎｓ  Ｇｖ２９−８、Ｏｉｄｉｏｄｅｎｄｒｏｎ  ｍａｉｕｓ  Ｚｎ、Ｍｅｔａｒｈｉｚｉｕｍ  ｇｕｉｚｈｏｕｅｎｓｅ  ＡＲＳＥＦ  ９７７、Ｍｅｔａｒｈｉｚｉｕｍ  ｍａｊｕｓ  ＡＲＳＥＦ  ２９７、Ｍｅｔａｒｈｉｚｉｕｍ  ｒｏｂｅｒｔｓｉｉ  ＡＲＳＥＦ  ２３、Ｍｅｔａｒｈｉｚｉｕｍ  ａｃｒｉｄｕｍ  ＣＱＭａ  １０２、Ｍｅｔａｒｈｉｚｉｕｍ  ｂｒｕｎｎｅｕｍ  ＡＲＳＥＦ  ３２９７、Ｍｅｔａｒｈｉｚｉｕｍ  ａｎｉｓｏｐｌｉａｅ、Ｃｏｌｌｅｔｏｔｒｉｃｈｕｍ  ｆｉｏｒｉｎｉａｅ  ＰＪ７、Ｃｏｌｌｅｔｏｔｒｉｃｈｕｍ  ｓｕｂｌｉｎｅｏｌａ、ｒｉｃｈｏｄｅｒｍａ  ａｔｒｏｖｉｒｉｄｅ  ＩＭＩ  ２０６０４０、Ｔｏｌｙｐｏｃｌａｄｉｕｍ  ｏｐｈｉｏｇｌｏｓｓｏｉｄｅｓ  ＣＢＳ  １００２３９、Ｂｅａｕｖｅｒｉａ  ｂａｓｓｉａｎａ  ＡＲＳＥＦ  ２８６０、Ｃｏｌｌｅｔｏｔｒｉｃｈｕｍ  ｈｉｇｇｉｎｓｉａｎｕｍ、Ｈｉｒｓｕｔｅｌｌａ  ｍｉｎｎｅｓｏｔｅｎｓｉｓ  ３６０８、Ｓｃｅｄｏｓｐｏｒｉｕｍ  ａｐｉｏｓｐｅｒｍｕｍ、Ｐｈａｅｏｍｏｎｉｅｌｌａ  ｃｈｌａｍｙｄｏｓｐｏｒａ、Ｆｕｓａｒｉｕｍ  ｖｅｒｔｉｃｉｌｌｉｏｉｄｅｓ  ７６００、Ｆｕｓａｒｉｕｍ  ｏｘｙｓｐｏｒｕｍ  ｆ．ｓｐ．ｃｕｂｅｎｓｅ品種４、Ｃｏｌｌｅｔｏｔｒｉｃｈｕｍ  ｇｒａｍｉｎｉｃｏｌａ  Ｍ１．００１、Ｆｕｓａｒｉｕｍ  ｏｘｙｓｐｏｒｕｍ  ＦＯＳＣ  ３−ａ、Ｆｕｓａｒｉｕｍ  ａｖｅｎａｃｅｕｍ、Ｆｕｓａｒｉｕｍ  ｌａｎｇｓｅｔｈｉａｅ、Ｇｒｏｓｍａｎｎｉａ  ｃｌａｖｉｇｅｒａ  ｋｗ１４０７、Ｃｌａｖｉｃｅｐｓ  ｐｕｒｐｕｒｅａ  ２０．１、Ｖｅｒｔｉｃｉｌｌｉｕｍ  ｌｏｎｇｉｓｐｏｒｕｍ、Ｆｕｓａｒｉｕｍ  ｏｘｙｓｐｏｒｕｍ  ｆ．ｓｐ．ｃｕｂｅｎｓｅ品種１、Ｍａｇｎａｐｏｒｔｈｅ  ｏｒｙｚａｅ  ７０−１５、Ｂｅａｕｖｅｒｉａ  ｂａｓｓｉａｎａ  Ｄ１−５、Ｆｕｓａｒｉｕｍ  ｐｓｅｕｄｏｇｒａｍｉｎｅａｒｕｍ  ＣＳ３０９６、Ｎｅｏｎｅｃｔｒｉａ  ｄｉｔｉｓｓｉｍａ，Ｍａｇｎａｐｏｒｔｈｉｏｐｓｉｓ  ｐｏａｅ  ＡＴＣＣ  ６４４１１、Ｃｏｒｄｙｃｅｐｓ  ｍｉｌｉｔａｒｉｓ  ＣＭ０１、Ｍａｒｓｓｏｎｉｎａ  ｂｒｕｎｎｅａ  ｆ．ｓｐ．「ｍｕｌｔｉｇｅｒｍｔｕｂｉ」ＭＢ＿ｍ１、Ｄｉａｐｏｒｔｈｅ  ａｍｐｅｌｉｎａ、Ｍｅｔａｒｈｉｚｉｕｍ  ａｌｂｕｍ  ＡＲＳＥＦ  １９４１、Ｃｏｌｌｅｔｏｔｒｉｃｈｕｍ  ｇｌｏｅｏｓｐｏｒｉｏｉｄｅｓ  Ｎａｒａ  ｇｃ５、Ｍａｄｕｒｅｌｌａ  ｍｙｃｅｔｏｍａｔｉｓ、Ｍｅｔａｒｈｉｚｉｕｍ  ｂｒｕｎｎｅｕｍ  ＡＲＳＥＦ  ３２９７、Ｖｅｒｔｉｃｉｌｌｉｕｍ  ａｌｆａｌｆａｅ  ＶａＭｓ．１０２、Ｇａｅｕｍａｎｎｏｍｙｃｅｓ  ｇｒａｍｉｎｉｓ変種ｔｒｉｔｉｃｉ  Ｒ３−１１１ａ−１、Ｎｅｃｔｒｉａ  ｈａｅｍａｔｏｃｏｃｃａ  ｍｐＶＩ  ７７−１３−４、Ｖｅｒｔｉｃｉｌｌｉｕｍ  ｌｏｎｇｉｓｐｏｒｕｍ、Ｖｅｒｔｉｃｉｌｌｉｕｍ  ｄａｈｌｉａｅ  ＶｄＬｓ．１７、Ｔｏｒｒｕｂｉｅｌｌａ  ｈｅｍｉｐｔｅｒｉｇｅｎａ、Ｖｅｒｔｉｃｉｌｌｉｕｍ  ｌｏｎｇｉｓｐｏｒｕｍ、Ｖｅｒｔｉｃｉｌｌｉｕｍ  ｄａｈｌｉａｅ  ＶｄＬｓ．１７、Ｂｏｔｒｙｔｉｓ  ｃｉｎｅｒｅａ  Ｂ０５．１０、Ｃｈａｅｔｏｍｉｕｍ  ｇｌｏｂｏｓｕｍ  ＣＢＳ  １４８．５１、Ｍｅｔａｒｈｉｚｉｕｍ  ａｎｉｓｏｐｌｉａｅ、Ｓｔｅｍｐｈｙｌｉｕｍ  ｌｙｃｏｐｅｒｓｉｃｉ、Ｓｃｌｅｒｏｔｉｎｉａ  ｂｏｒｅａｌｉｓ  Ｆ−４１５７、Ｍｅｔａｒｈｉｚｉｕｍ  ｒｏｂｅｒｔｓｉｉ  ＡＲＳＥＦ  ２３、Ｍｙｃｅｌｉｏｐｈｔｈｏｒａ  ｔｈｅｒｍｏｐｈｉｌａ  ＡＴＣＣ  ４２４６４、Ｐｈａｅｏｓｐｈａｅｒｉａ  ｎｏｄｏｒｕｍ  ＳＮ１５、Ｐｈｉａｌｏｐｈｏｒａ  ａｔｔａｅ、Ｕｓｔｉｌａｇｉｎｏｉｄｅａ  ｖｉｒｅｎｓ、Ｄｉｐｌｏｄｉａ  ｓｅｒｉａｔａ、Ｏｐｈｉｏｓｔｏｍａ  ｐｉｃｅａｅ  ＵＡＭＨ  １１３４６、Ｐｓｅｕｄｏｇｙｍｎｏａｓｃｕｓ  ｐａｎｎｏｒｕｍ  ＶＫＭ  Ｆ−４５１５（ＦＷ−２６０７）、Ｂｉｐｏｌａｒｉｓ  ｏｒｙｚａｅ  ＡＴＣＣ  ４４５６０、Ｍｅｔａｒｈｉｚｉｕｍ  ｇｕｉｚｈｏｕｅｎｓｅ  ＡＲＳＥＦ  ９７７、Ｃｈａｅｔｏｍｉｕｍ  ｔｈｅｒｍｏｐｈｉｌｕｍ変種ｔｈｅｒｍｏｐｈｉｌｕｍ  ＤＳＭ  １４９５、Ｐｅｓｔａｌｏｔｉｏｐｓｉｓ  ｆｉｃｉ  Ｗ１０６−１、Ｂｉｐｏｌａｒｉｓ  ｚｅｉｃｏｌａ  ２６−Ｒ−１３、Ｓｅｔｏｓｐｈａｅｒｉａ  ｔｕｒｃｉｃａ  Ｅｔ２８Ａ、Ａｒｔｈｒｏｄｅｒｍａ  ｏｔａｅ  ＣＢＳ  １１３４８０、及びＰｙｒｅｎｏｐｈｏｒａ  ｔｒｉｔｉｃｉ−ｒｅｐｅｎｔｉｓ  Ｐｔ−１Ｃ−ＢＦＰのＤＮＡ配列によってコードされているヌクレアーゼが挙げられる。
【００８９】
好ましくは、ヌクレアーゼは、単離ヌクレアーゼである。
【００９０】
好ましくは、ヌクレアーゼ酵素は、０．０１ｐｐｍ〜１０００ｐｐｍ、又は０．０５若しくは０．１ｐｐｍ〜７５０若しくは５００ｐｐｍのヌクレアーゼ酵素の量で洗濯水性液中に存在する。
【００９１】
アセチルグルコサミニダーゼ。
好ましくは、組成物は、アセチルグルコサミニダーゼ酵素、好ましくは、Ｅ．Ｃ．３．２．１．５２由来のβ−Ｎ−アセチルグルコサミニダーゼ酵素、好ましくは、配列番号１０に対して少なくとも７０％、又は少なくとも７５％、又は少なくとも８０％、又は少なくとも８５％、又は少なくとも９０％、又は少なくとも９５％、又は少なくとも９６％、又は少なくとも９７％、又は少なくとも９８％、又は少なくとも９９％、又は少なくとも又は１００％の同一性を有する酵素を含む。
【００９２】
マンナナーゼ
好ましくは、本組成物はマンナナーゼ酵素を含む。用語「マンナナーゼ」は、マンナン、ガラクトマンナン及びグルコマンナンにおける１，４−３−Ｄ−マンノシド結合の加水分解を触媒するグリコシドヒドロラーゼファミリー２６由来のマンナンエンド−１，４−β−マンノシダーゼ活性（ＥＣ３．２．１．７８）を有するポリペプチドを意味する。マンナンエンド−１，４−β−マンノシダーゼの別名は、１，４−３−Ｄ−マンナンマンナノヒドロラーゼ、エンド−１，４−３−マンナナーゼ、エンド−β−１，４−マンナーゼ、β−マンナナーゼＢ、３−１，４−マンナン４−マンナノヒドロラーゼ、エンド−３−マンナナーゼ、及びβ−マンナナーゼである。好ましいマンナナーゼは、グリコシドヒドロラーゼファミリー２６のメンバーである。
【００９３】
本開示の目的のために、マンナナーゼ活性は、国際公開第２０１５０４０１５９号の実験の節に記載されている還元エンドアッセイを使用して決定されてもよい。
【００９４】
分類ＥＣ３．２．１．７８からの好適な例は、国際公開第２０１５０４０１５９号に記載されており、例えば、その中に記載される成熟ポリペプチド配列番号２である。
【００９５】
好ましいマンナナーゼは、Ａｓｃｏｂｏｌｕｓ  ｓｔｉｃｔｏｉｄｅｕｓ由来の成熟ポリペプチド配列番号１１に対して少なくとも６０％、少なくとも６５％、少なくとも７０％、少なくとも７５％、少なくとも８０％、少なくとも８１％、少なくとも８２％、少なくとも８３％、少なくとも８４％、少なくとも８５％、少なくとも８６％、少なくとも８７％、少なくとも８８％、少なくとも８９％、少なくとも９０％、少なくとも９１％、少なくとも９２％、少なくとも９３％、少なくとも９４％、少なくとも９５％、少なくとも９６％、少なくとも９７％、少なくとも９８％、少なくとも９９％、又は１００％の配列同一性を有する変異体である。
【００９６】
好ましいマンナナーゼは、Ｃｈａｅｔｏｍｉｕｍ  ｖｉｒｅｓｃｅｎｓ由来の成熟ポリペプチド配列番号１２に対して少なくとも８１％、少なくとも８２％、少なくとも８３％、少なくとも８４％、少なくとも８５％、少なくとも８６％、少なくとも８７％、少なくとも８８％、少なくとも８９％、少なくとも９０％、少なくとも９１％、少なくとも９２％、少なくとも９３％、少なくとも９４％、少なくとも９５％、少なくとも９６％、少なくとも９７％、少なくとも９８％、少なくとも９９％、又は１００％の配列同一性を有する変異体である。
【００９７】
好ましいマンナナーゼは、Ｐｒｅｕｓｓｉａ  ａｅｍｕｌａｎｓ由来の成熟ポリペプチド配列番号１３に対して少なくとも７５％、少なくとも７６％、少なくとも７７％、少なくとも７８％、少なくとも７９％、少なくとも８０％、少なくとも８１％、少なくとも８２％、少なくとも８３％、少なくとも８４％、少なくとも８５％、少なくとも８６％、少なくとも８７％、少なくとも８８％、少なくとも８９％、少なくとも９０％、少なくとも９１％、少なくとも９２％、少なくとも９３％、少なくとも９４％、少なくとも９５％、少なくとも９６％、少なくとも９７％、少なくとも９８％、少なくとも９９％、又は１００％の配列同一性を有する変異体である。
【００９８】
好ましいマンナナーゼは、Ｙｕｎｎａｎｉａ  ｐｅｎｉｃｉｌｌａｔａ由来の成熟ポリペプチド配列番号１４に対して少なくとも６５％、少なくとも６６％、少なくとも６７％、少なくとも６８％、少なくとも６９％、少なくとも７０％、少なくとも７１％、少なくとも７２％、少なくとも７３％、少なくとも７４％、少なくとも７５％、少なくとも７６％、少なくとも７７％、少なくとも７８％、少なくとも７９％、少なくとも８０％、少なくとも８１％、少なくとも８２％、少なくとも８３％、少なくとも８４％、少なくとも８５％、少なくとも８６％、少なくとも８７％、少なくとも８８％、少なくとも８９％、少なくとも９０％、少なくとも９１％、少なくとも９２％、少なくとも９３％、少なくとも９４％、少なくとも９５％、少なくとも９６％、少なくとも９７％、少なくとも９８％、少なくとも９９％、又は１００％の配列同一性を有する変異体である。
【００９９】
好ましいマンナナーゼは、Ｍｙｒｏｔｈｅｃｉｕｍ  ｒｏｒｉｄｕｍ由来の成熟ポリペプチド配列番号１５に対して少なくとも７５％、少なくとも７６％、少なくとも７７％、少なくとも７８％、少なくとも７９％、少なくとも８０％、少なくとも８１％、少なくとも８２％、少なくとも８３％、少なくとも８４％、少なくとも８５％、少なくとも８６％、少なくとも８７％、少なくとも８８％、少なくとも８９％、少なくとも９０％、少なくとも９１％、少なくとも９２％、少なくとも９３％、少なくとも９４％、少なくとも９５％、少なくとも９６％、少なくとも９７％、少なくとも９８％、少なくとも９９％、又は１００％の配列同一性を有する変異体である。好ましくは、マンナナーゼは、単離されたマンナナーゼである。
【０１００】
好ましくは、マンナナーゼ酵素は、洗浄組成物中に、組成物中の活性タンパク質に基づいて、０．００１〜１重量％、又は０．００５〜０．５重量％、又は０．０１〜０．２５重量％の量で存在する。好ましくは、マンナナーゼ酵素は、洗濯水性液中に、０．０１ｐｐｍ〜１０００ｐｐｍのマンナナーゼ酵素の量で、又は０．０５ｐｐｍ又は０．１ｐｐｍから７５０ｐｐｍ又は５００ｐｐｍまでの量で存在する。ガラクタナーゼ及びマンナナーゼの両方を含む本発明の組成物は、粘着性の汚れに対して特に効果的であり、洗浄の改善に有効であり得る。２つの酵素は、相補的な方法で共に機能すると考えられる。
【０１０１】
ガラクタナーゼ酵素
エンド−β−１，６−ガラクタナーゼ酵素は、細胞外ポリマー分解酵素である。用語「エンド−β−１，６−ガラクタナーゼ」又は「エンド−β−１，６−ガラクタナーゼ活性を有するポリペプチド」は、３より高い重合度（ＤＰ）を有する１，６−３−Ｄ−ガラクトオリゴ糖、及び４−Ｏ−メチルグルコシルウロネート又はグルコシルウロネート基を非還元末端に有する酸性誘導体の、加水分解開裂を触媒するエンド−β−１，６−ガラクタナーゼ活性（ＥＣ３．２．１．１６４）を意味する。
【０１０２】
好ましくは、ガラクタナーゼ酵素は、グリコシドヒドロラーゼ（ＧＨ）ファミリー３０から選択される。
【０１０３】
好ましくは、エンド−β−１，６−ガラクタナーゼは、微生物の酵素を含む。エンド−β−１，６−ガラクタナーゼは、真菌又は細菌起源であってよい。細菌エンド−β−１，６−ガラクタナーゼが最も好ましい場合がある。真菌エンド−β−１，６−ガラクタナーが最も好ましい場合がある。
【０１０４】
細菌エンド−β−１，６−ガラクタナーゼは、Ｓｔｒｅｐｔｏｍｙｃｅｓ、例えば、Ｓｔｒｅｐｔｏｍｙｃｅｓ  ｄａｖａｗｅｎｓｉｓから得ることができる。好ましいエンド−β−１，６−ガラクタナーゼは、本明細書における配列番号２に規定されるＳｔｒｅｐｔｏｍｙｃｅｓ  ｄａｖａｗｅｎｓｉｓ  ＪＣＭ  ４９１３、又はその変異体、例えば、それに対して少なくとも４０％、又は５０％、又は６０％、又は７０％、又は７５％、又は８０％、又は８５％、又は９０％、又は９５％、９６％、９７％、９８％、９９％又は１００％の同一性を有するものから得ることができる。
【０１０５】
他の細菌エンド−β−１，６−ガラクタナーゼとしては、本明細書における配列番号３に規定されるＳｔｒｅｐｔｏｍｙｃｅｓ  ａｖｅｒｍｉｔｉｌｉｓ  ＭＡ−４６８０のＤＮＡ配列によってコードされるもの、又はその変異体、例えば、それに対して少なくとも４０％、又は５０％、又は６０％、又は７０％、又は７５％、又は８０％、又は８５％、又は９０％、又は９５％、９６％、９７％、９８％、９９％又は１００％の同一性を有するものが挙げられる。
【０１０６】
真菌エンド−β−１，６−ガラクタナーゼは、Ｔｒｉｃｈｏｄｅｒｍａ、例えば、Ｔｒｉｃｈｏｄｅｒｍａ  ｈａｒｚｉａｎｕｍから得ることができる。好ましいエンド−β−１，６−ガラクタナーゼは、本明細書における配列番号４に規定されるＴｒｉｃｈｏｄｅｒｍａ  ｈａｒｚｉａｎｕｍ、又はその変異体、例えば、それに対して少なくとも４０％、又は５０％、又は６０％、又は７０％、又は７５％、又は８０％、又は８５％、又は９０％、又は９５％、９６％、９７％、９８％、９９％又は１００％の同一性を有するものから得ることができる。
【０１０７】
他の真菌エンド−β−１，６−ガラクタナーゼとしては、Ｃｅｒａｔｏｃｙｓｔｉｓ  ｆｉｍｂｒｉａｔａ  ｆ．ｓｐ．Ｐｌａｔａｎｉ、Ｍｕｓｃｏｄｏｒ  ｓｔｒｏｂｅｌｉｉ  ＷＧ−２００９ａ、Ｏｃｕｌｉｍａｃｕｌａ  ｙａｌｌｕｎｄａｅ、Ｔｒｉｃｈｏｄｅｒｍａ  ｖｉｒｉｄｅ  ＧＤ３６Ａ、Ｔｈｅｒｍｏｍｙｃｅｓ  ｓｔｅｌｌａｔｕｓ、Ｍｙｃｅｌｉｏｐｈｔｈｏｒａ  ｔｈｅｒｍｏｐｈｉｌｉａのＤＮＡ配列によってコードされるものが挙げられる。
【０１０８】
好ましくは、ガラクタナーゼは、配列番号２、配列番号３又は配列番号４に示されるアミノ酸配列と少なくとも６０％、又は少なくとも８０％、又は少なくとも９０％、又は少なくとも９５％の同一性を有するアミノ酸配列を有する。
【０１０９】
好ましくは、ガラクタナーゼは、単離されたガラクタナーゼである。
【０１１０】
好ましくは、ガラクタナーゼ酵素は、洗濯水溶液中に、０．０１ｐｐｍ〜１０００ｐｐｍのガラクタナーゼ酵素の量で、又は０．０５ｐｐｍ又は０．１ｐｐｍから７５０ｐｐｍ又は５００ｐｐｍまでの量で存在する。
【０１１１】
ガラクタナーゼは、バイオフィルム破壊効果を生じさせることもできる。
【０１１２】
グリコシルヒドロラーゼ
組成物は、例えば、それぞれ出願人参照番号ＣＭ４６４５ＦＭ及びＣＭ４６４６ＦＭを有する同時係属出願に記載されているような、ＧＨファミリー３９及びＧＨファミリー１１４及びこれらの混合物から選択されるグリコシルヒドロラーゼを含んでもよい。
【０１１３】
プロテアーゼ。
好ましくは、当該組成物は、１つ以上のプロテアーゼを含む。好適なプロテアーゼとしては、メタロプロテアーゼ及びセリンプロテアーゼが挙げられ、例えば、サブチリシン（ＥＣ  ３．４．２１．６２）などの中性又はアルカリ性微生物セリンプロテアーゼを含む。好適なプロテアーゼとしては、動物、植物又は微生物起源のものが挙げられる。一態様では、このような好適なプロテアーゼは、微生物起源のものであってもよい。好適なプロテアーゼとしては、前述の好適なプロテアーゼの化学的又は遺伝的に就職された突然変異体が挙げられる。一態様では、好適なプロテアーゼは、アルカリ性微生物プロテアーゼ又は／及びトリプシン型プロテアーゼなどのセリンプロテアーゼであってよい。好適な中性又はアルカリ性プロテアーゼの例としては、以下が挙げられる。
（ａ）サブチリシン（ＥＣ  ３．４．２１．６２）、特に国際公開第２００４０６７７３７号、同第２０１５０９１９８９号、同第２０１５０９１９９０号、同第２０１５０２４７３９号、同第２０１５１４３３６０号、米国特許第６，３１２，９３６（Ｂ１）号、同第５，６７９，６３０号、同第４，７６０，０２５号、独国特許公開第１０２００６０２２２１６（Ａ１）号、同第１０２００６０２２２２４（Ａ１）号、国際公開第２０１５０８９４４７号、同第２０１５０８９４４１号、同第２０１６０６６７５６号、同第２０１６０６６７５７号、同第２０１６０６９５５７号、同第２０１６０６９５６３号、同第２０１６０６９５６９号に記載されている、Ｂａｃｉｌｌｕｓ属、Ｂ．ｌｅｎｔｕｓ、Ｂ．ａｌｋａｌｏｐｈｉｌｕｓ、Ｂ．ｓｕｂｔｉｌｉｓ、Ｂ．ａｍｙｌｏｌｉｑｕｅｆａｃｉｅｎｓ、Ｂ．ｐｕｍｉｌｕｓ、Ｂ．ｇｉｂｓｏｎｉｉ、及びＢ．ａｋｉｂａｉｉなどのＢａｃｉｌｌｕｓ由来のもの。
（ｂ）国際公開第８９／０６２７０号に記載されているＦｕｓａｒｉｕｍ属プロテアーゼ、並びに同第０５／０５２１６１号及び同第０５／０５２１４６号に記載されているＣｅｌｌｕｍｏｎａｓ属に由来するキモトリプシンプロテアーゼを含む、トリプシン（例えば、ブタ又はウシ起源）などのトリプシン型又はキモトリプシン型のプロテアーゼ。
（ｃ）メタロプロテアーゼ、特に国際公開第０７／０４４９９３（Ａ２）号に記載のＢａｃｉｌｌｕｓ  ａｍｙｌｏｌｉｑｕｅｆａｃｉｅｎｓから誘導されたもの。国際公開第２０１４１９４０３２号、同第２０１４１９４０５４号及び同第２０１４１９４１１７号に記載されるＢａｃｉｌｌｕｓ、Ｂｒｅｖｉｂａｃｉｌｌｕｓ、Ｔｈｅｒｍｏａｃｔｉｎｏｍｙｃｅｓ、Ｇｅｏｂａｃｉｌｌｕｓ、Ｐａｅｎｉｂａｃｉｌｌｕｓ、Ｌｙｓｉｎｉｂａｃｉｌｌｕｓ又はＳｔｒｅｐｔｏｍｙｃｅｓ  ｓｐｐ．、国際公開第２０１５１９３４８８号に記載されるＫｒｉｂｅｌｌａ  ａｌｌｕｍｉｎｏｓａ、及び国際公開第２０１６０７５０７８号に記載されるＳｔｒｅｐｔｏｍｙｃｅｓ及びＬｙｓｏｂａｃｔｅｒに由来するもの。
（ｄ）国際公開第９２／１７５７７号（Ｎｏｖｏｚｙｍｅｓ  Ａ／Ｓ）に記載されるＢａｃｉｌｌｕｓ  ｓｐ．ＴＹ１４５、ＮＣＩＭＢ  ４０３３９由来のサブチラーゼに対して少なくとも９０％の同一性を有するプロテアーゼ、同第２０１５０２４７３９号及び同第２０１６０６６７５７号に記載されるこのＢａｃｉｌｌｕｓ  ｓｐ  ＴＹ１４５サブチラーゼの変異体を含む。
【０１１４】
本発明の洗剤にとりわけ好ましいプロテアーゼは、Ｂａｃｉｌｌｕｓ  ｌｅｎｔｕｓ由来の野生型酵素と少なくとも９０％、好ましくは少なくとも９５％、より好ましくは少なくとも９８％、更により好ましくは少なくとも９９％、とりわけ１００％の同一性を示すポリペプチドであり、これは、本明細書に参照により援用する第ＷＯ００／３７６２７号に示されるようなＢＰＮ’番号付与システム及びアミノ酸略号を用いた場合に、以下に示す位置の１つ以上、好ましくは２つ以上、より好ましくは３つ以上に突然変異を有する：Ｖ６８Ａ、Ｎ７６Ｄ、Ｎ８７Ｓ、Ｓ９９Ｄ、Ｓ９９ＳＤ、Ｓ９９Ａ、Ｓ１０１Ｇ、Ｓ１０１Ｍ、Ｓ１０３Ａ、Ｖ１０４Ｎ／Ｉ、Ｇ１１８Ｖ、Ｇ１１８Ｒ、Ｓ１２８Ｌ、Ｐ１２９Ｑ、Ｓ１３０Ａ、Ｙ１６７Ａ、Ｒ１７０Ｓ、Ａ１９４Ｐ、Ｖ２０５Ｉ、Ｑ２０６Ｌ／Ｄ／Ｅ、Ｙ２０９Ｗ、及び／又はＭ２２２Ｓ。
【０１１５】
最も好ましくは、プロテアーゼは、ＰＢ９２野生型（国際公開第０８／０１０９２５号中、配列番号２）又はスブチリシン３０９野生型（Ｎ８７Ｓの自然変異体を含む以外はＰＢ９２主鎖による配列）のいずれかに対して以下の突然変異体（ＢＰＮ番号方式）を含む群から選択される。
（ｉ）Ｇ１１８Ｖ＋Ｓ１２８Ｌ＋Ｐ１２９Ｑ＋Ｓ１３０Ａ
（ｉｉ）Ｓ１０１Ｍ＋Ｇ１１８Ｖ＋Ｓ１２８Ｌ＋Ｐ１２９Ｑ＋Ｓ１３０Ａ
（ｉｉｉ）Ｎ７６Ｄ＋Ｎ８７Ｒ＋Ｇ１１８Ｒ＋Ｓ１２８Ｌ＋Ｐ１２９Ｑ＋Ｓ１３０Ａ＋Ｓ１８８Ｄ＋Ｎ２４８Ｒ
（ｉｖ）Ｎ７６Ｄ＋Ｎ８７Ｒ＋Ｇ１１８Ｒ＋Ｓ１２８Ｌ＋Ｐ１２９Ｑ＋Ｓ１３０Ａ＋Ｓ１８８Ｄ＋Ｖ２４４Ｒ
（ｖ）Ｎ７６Ｄ＋Ｎ８７Ｒ＋Ｇ１１８Ｒ＋Ｓ１２８Ｌ＋Ｐ１２９Ｑ＋Ｓ１３０Ａ
（ｖｉ）Ｖ６８Ａ＋Ｎ８７Ｓ＋Ｓ１０１Ｇ＋Ｖ１０４Ｎ
（ｖｉｉ）Ｓ９９ＡＤ
【０１１６】
好適な市販のプロテアーゼ酵素としては、Ｎｏｖｏｚｙｍｅｓ  Ａ／Ｓ（Ｄｅｎｍａｒｋ）から商品名Ａｌｃａｌａｓｅ（登録商標）、Ｓａｖｉｎａｓｅ（登録商標）、Ｐｒｉｍａｓｅ（登録商標）、Ｄｕｒａｚｙｍ（登録商標）、Ｐｏｌａｒｚｙｍｅ（登録商標）、Ｋａｎｎａｓｅ（登録商標）、Ｌｉｑｕａｎａｓｅ（登録商標）、Ｌｉｑｕａｎａｓｅ  Ｕｌｔｒａ（登録商標）、Ｓａｖｉｎａｓｅ  Ｕｌｔｒａ（登録商標）、Ｏｖｏｚｙｍｅ（登録商標）、Ｎｅｕｔｒａｓｅ（登録商標）、Ｅｖｅｒｌａｓｅ（登録商標）、Ｃｏｒｏｎａｓｅ（登録商標）、Ｂｌａｚｅ（登録商標）、Ｂｌａｚｅ  Ｕｌｔｒａ（登録商標）及びＥｓｐｅｒａｓｅ（登録商標）で販売されているもの、Ｄｕｐｏｎｔから商品名Ｍａｘａｔａｓｅ（登録商標）、Ｍａｘａｃａｌ（登録商標）、Ｍａｘａｐｅｍ（登録商標）、Ｐｒｏｐｅｒａｓｅ（登録商標）、Ｐｕｒａｆｅｃｔ（登録商標）、Ｐｕｒａｆｅｃｔ  Ｐｒｉｍｅ（登録商標）、Ｐｕｒａｆｅｃｔ  Ｏｘ（登録商標）、ＦＮ３（登録商標）、ＦＮ４（登録商標）、Ｅｘｃｅｌｌａｓｅ（登録商標）、Ｕｌｔｉｍａｓｅ（登録商標）及びＰｕｒａｆｅｃｔ  ＯＸＰ（登録商標）で販売されているもの、Ｓｏｌｖａｙ  Ｅｎｚｙｍｅｓから商品名Ｏｐｔｉｃｌｅａｎ（登録商標）及びＯｐｔｉｍａｓｅ（登録商標）で販売されているもの、並びに、Ｈｅｎｋｅｌ／Ｋｅｍｉｒａから入手可能なもの、すなわち、ＢＬＡＰ（米国特許第５，３５２，６０４号の図２９に示され、Ｓ９９Ｄ＋Ｓ１０１Ｒ＋Ｓ１０３Ａ＋Ｖ１０４Ｉ＋Ｇ１５９Ｓの変位を有する配列、以降ＢＬＡＰと称する）、ＢＬＡＰ  Ｒ（Ｓ３Ｔ＋Ｖ４Ｉ＋Ｖ１９９Ｍ＋Ｖ２０５Ｉ＋Ｌ２１７Ｄを有するＢＬＡＰ）、ＢＬＡＰ  Ｘ（Ｓ３Ｔ＋Ｖ４Ｉ＋Ｖ２０５Ｉを有するＢＬＡＰ）及びＢＬＡＰ  Ｆ４９（Ｓ３Ｔ＋Ｖ４Ｉ＋Ａ１９４Ｐ＋Ｖ１９９Ｍ＋Ｖ２０５Ｉ＋Ｌ２１７Ｄを有するＢＬＡＰ）、並びに、ＫａｏのＫＡＰ（Ａ２３０Ｖ＋Ｓ２５６Ｇ＋Ｓ２５９Ｎの変位を有するＢａｃｉｌｌｕｓ  ａｌｋａｌｏｐｈｉｌｕｓ  ｓｕｂｔｉｌｉｓｉｎ）が挙げられる。
【０１１７】
Ｐｒｏｐｅｒａｓｅ（登録商標）、Ｂｌａｚｅ（登録商標）、Ｕｌｔｉｍａｓｅ（登録商標）、Ｅｖｅｒｌａｓｅ（登録商標）、Ｓａｖｉｎａｓｅ（登録商標）、Ｅｘｃｅｌｌａｓｅ（登録商標）、Ｂｌａｚｅ  Ｕｌｔｒａ（登録商標）、ＢＬＡＰ及びＢＬＡＰ変異体からなる群から選択される市販のプロテアーゼは、本発明の変異型プロテアーゼと組み合わせて本明細書に用いるのに特に好ましい。
【０１１８】
リパーゼ
好ましくは、本組成物は、米国特許第６，９３９，７０２（Ｂ１）号、及び米国特許公開第２００９／０２１７４６４号に記載されているものなどの「第１サイクルリパーゼ」を含む１つ以上のリパーゼを含む。好ましいリパーゼは、第１の洗浄リパーゼである。本発明の一実施形態では、当該組成物は、第１の洗浄リパーゼを含む。第１の洗浄リパーゼは、以下のアミノ酸配列を有するポリペプチドであるリパーゼを含む：（ａ）Ｈｕｍｉｃｏｌａ  ｌａｎｕｇｉｎｏｓａ株ＤＳＭ４１０９由来の野生型リパーゼと少なくとも９０％の同一性を有するもの、（ｂ）当該野生型リパーゼと比較して、Ｅ１若しくはＱ２４９の１５Ａ以内の三次元構造の表面における電気的に中性若しくは負に荷電されたアミノ酸の、正に荷電されたアミノ酸による置換を含むもの、及び（ｃ）Ｃ末端にペプチド付加を含むもの、及び／又は（ｄ）Ｎ末端にペプチド付加を含む、及び／又は（ｅ）以下の制限を満たすもの：ｉ）当該野生型リパーゼのＥ２１０位に負のアミノ酸を含むこと、（ｉｉ）当該野生型リパーゼの９０位〜１０１位に対応する領域に負に帯電したアミノ酸を含むこと、及び（ｉｉｉ）当該野生型リパーゼのＮ９４に対応する位置に中性又は陰性のアミノ酸を含むか、及び／又は当該野生型リパーゼの９０〜１０１位に対応する領域に負又は中性の正味の電荷を有すること。Ｔ２３１Ｒ及びＮ２３３Ｒ変異のうち１つ以上を含むＴｈｅｒｍｏｍｙｃｅｓ  ｌａｎｕｇｉｎｏｓｕｓ由来の野生型リパーゼの変異体が好ましい。この野生型の配列は、Ｓｗｉｓｓｐｒｏｔ受託番号Ｓｗｉｓｓ−Ｐｒｏｔ  Ｏ５９９５２の２６９アミノ酸（アミノ酸２３〜２９１）である（Ｔｈｅｒｍｏｍｙｃｅｓ  ｌａｎｕｇｉｎｏｓｕｓ（Ｈｕｍｉｃｏｌａ  ｌａｎｕｇｉｎｏｓａ）に由来）。好ましいリパーゼとしては、商品名Ｌｉｐｅｘ（登録商標）、Ｌｉｐｏｌｅｘ（登録商標）及びＬｉｐｏｃｌｅａｎ（登録商標）として販売されているものが挙げられる。他の好適なリパーゼとしては、欧州特許出願第１２００１０３４．３号又は欧州特許第２６２３５８６号に記載されているものが挙げられる。
【０１１９】
エンドグルカナーゼ
他の好ましい酵素としては、エンド−β−１，４−グルカナーゼ活性を示す微生物由来のエンドグルカナーゼ（Ｅ．Ｃ．３．２．１．４）が挙げられ、米国特許第７，１４１，４０３（Ｂ２）号における配列番号２のアミノ酸配列に対して少なくとも９０％、９４％、９７％、更には９９％の同一性を有するＢａｃｉｌｌｕｓ属のメンバーに対して内因性である微生物ポリペプチド及びその混合物を含む。好適なエンドグルカナーゼは、商品名Ｃｅｌｌｕｃｌｅａｎ（登録商標）及びＷｈｉｔｅｚｙｍｅ（登録商標）（Ｎｏｖｏｚｙｍｅｓ  Ａ／Ｓ（Ｂａｇｓｖａｅｒｄ，Ｄｅｎｍａｒｋ）として販売されている。
【０１２０】
ペクチン酸リアーゼ
他の好ましい酵素としては、商品名Ｐｅｃｔａｗａｓｈ（登録商標）、Ｐｅｃｔａｗａｙ（登録商標）、Ｘｐｅｃｔ（登録商標）として販売されているペクチン酸リアーゼ、並びに商品名Ｍａｎｎａｗａｙ（登録商標）（全てＮｏｖｏｚｙｍｅｓ  Ａ／Ｓ（Ｂａｇｓｖａｅｒｄ，Ｄｅｎｍａｒｋ）製）及びＰｕｒａｂｒｉｔｅ（登録商標）（Ｇｅｎｅｎｃｏｒ  Ｉｎｔｅｒｎａｔｉｏｎａｌ  Ｉｎｃ．（Ｐａｌｏ  Ａｌｔｏ，Ｃａｌｉｆｏｒｎｉａ））として販売されているマンナナーゼが挙げられる。
【０１２１】
洗浄用セルラーゼ
本明細書に記載される洗浄組成物は、洗浄用セルラーゼを追加的に含み得る。セルラーゼはエンドグルカナーゼであってもよい。セルラーゼは、エンドβ１，４−グルカナーゼ活性を有し、クラスＡの炭水化物結合モジュール（ＣＢＭ）を含まない構造を有し得る。クラスＡのＣＢＭは、Ａ．Ｂ．Ｂｏｒａｓｔｏｎ  ｅｔ  ａｌ．Ｂｉｏｃｈｅｍｉｃａｌ  Ｊｏｕｒｎａｌ  ２００４，Ｖｏｌｕｍｅ  ３８２（ｐａｒｔ  ３）ｐ．７６９−７８１に定義されている。特に、セルラーゼは、ファミリー１、２ａ、３、５及び１０からのクラスＡのＣＢＭを含まない。
【０１２２】
セルラーゼは、非晶質セルロース基質に対して酵素活性を有するグリコシルヒドロラーゼであってもよく、このグリコシルヒドロラーゼは、ＧＨファミリー５、７、１２、１６、４４又は７４から選択される。好ましくは、セルラーゼは、ＧＨファミリー５から選択されるグリコシルヒドロラーゼである。好ましいセルラーゼは、Ｎｏｖｏｚｙｍｅｓにより供給されるＣｅｌｌｕｃｌｅａｎである。この好ましいセルラーゼは、国際公開第２００２／０９９０９１号に更に詳細に記載されている。グリコシルヒドロラーゼ（ＧＨ）ファミリーの定義は、Ｂｉｏｃｈｅｍ  Ｊ．１９９１、ｖ２８０、３０９−３１６により更に詳しく記述されている。別の好ましいセルラーゼは、キシログルカン基質及び非晶質セルラーゼ基質の両方に対して酵素活性を有するグリコシルヒドロラーゼであり、このグリコシルヒドロラーゼは、ＧＨファミリー５、１２、４４又は７４から選択される。好ましくは、グリコシルヒドロラーゼは、ＧＨファミリー４４から選択される。
【０１２３】
本発明の目的上、２つのアミノ酸配列間の同一性の度合は、エンボスパッケージ（ＥＭＢＯＳＳ：Ｔｈｅ  Ｅｕｒｏｐｅａｎ  Ｍｏｌｅｃｕｌａｒ  Ｂｉｏｌｏｇｙ  Ｏｐｅｎ  Ｓｏｆｔｗａｒｅ  Ｓｕｉｔｅ，Ｒｉｃｅ  ｅｔ  ａｌ．，２０００，Ｔｒｅｎｄｓ  ｉｎ  Ｇｅｎｅｔｉｃｓ  １６：２７６−２７７）のニードプログラムで実施されているニードルマン−ブンシュアルゴリズム（Ｎｅｅｄｌｅｍａｎ  ａｎｄ  Ｗｕｎｓｃｈ，１９７０，Ｊ．Ｍｏｌ．Ｂｉｏｌ．４８：４４３−４５３）の、好ましくはバージョン３．０．０以降を使って決定される。必要に応じて用いられるパラメータは、ギャップ開始ペナルティが１０、ギャップ伸長ペナルティが０．５、及びＥＢＬＯＳＵＭ６２（ＢＬＯＳＵＭ６２のＥＭＢＯＳＳバージョン）置換マトリックスである。「最長同一（longest identity）」と標識されたＮｅｅｄｌｅ出力（−ｎｏｂｒｉｅｆオプションを使用して得られる）が、同一性パーセントとして使用され、次のように計算される。（同一残基×１００）／（アライメント長さ−アライメント中のギャップの合計数）。
【０１２４】
好適な洗浄用セルラーゼは、Ｐａｅｎｉｂａｃｉｌｌｕｓ  ｐｏｌｙｘｙｍａ（野生型）由来の、国際公開第０１／０６２９０３号に記載のＸＹＧ１００６などのＧＨファミリー４４グリコシルヒドロラーゼ、又はその変異体；Ｂａｃｉｌｌｕｓ  ｌｉｃｈｅｎｉｆｏｒｍｉｓ（野生型）由来の、国際公開第９９／０２６６３号に記載の配列番号１などのＧＨファミリー１２グリコシルヒドロラーゼ、又はその変異体；Ｂａｃｉｌｌｕｓ  ａｇａｒａｄｈａｅｒｅｎｓ（野生型）由来のＧＨファミリー５グリコシルヒドロラーゼ、又はその変異体；Ｐａｅｎｉｂａｃｉｌｌｕｓ（野生型）由来の、国際公開第０１／０６４８５３号に記載のＸＹＧ１０３４及びＸＹＧ１０２２などのＧＨファミリー５グリコシルヒドロラーゼ、又はその変異体；Ｊｏｎｅｓｉａ属（野生型）由来の、国際公開第２００２／０７７２４２号に記載のＸＹＧ１０２０などのＧＨファミリー７４グリコシルヒドロラーゼ、又はその変異体；並びに、Ｔｒｉｃｈｏｄｅｒｍａ  Ｒｅｅｓｅｉ（野生型）由来の、国際公開第０３／０８９５９８号の配列番号２に詳細に記載される酵素などのＧＨファミリー７４グリコシルヒドロラーゼ、又はその変異体、からなる群から選択される。
【０１２５】
好ましいグリコシルヒドロラーゼは、Ｐａｅｎｉｂａｃｉｌｌｕｓ  ｐｏｌｙｘｙｍａ（野生型）由来の、ＸＹＧ１００６などのＧＨファミリー４４グリコシルヒドロラーゼ、又はその変異体からなる群から選択される。
【０１２６】
典型的には、セルラーゼは、その後の洗浄サイクルにおいて、洗濯プロセス後に、布地の着用及び使用中の布地に付着した汚れの除去を改善するように、洗濯プロセス中に布地表面を改質する。好ましくは、セルラーゼは、その後の２回又は更には３回の洗浄サイクルにおいて、洗濯プロセス後に、布地の着用及び使用中の布地に付着した汚れの除去を改善するように、洗濯プロセス中に布地表面を改質する。
【０１２７】
典型的には、セルラーゼは、第１の洗濯プロセス中に水性液中で０．００５ｐｐｍ〜１．０ｐｐｍの濃度で使用される。好ましくは、セルラーゼは、第１の洗濯プロセス中に水性液中で０．０２ｐｐｍ〜０．５ｐｐｍの濃度で使用される。
【０１２８】
ポリマー
洗剤組成物は、例えば、洗浄及び／又はケアのための１つ以上のポリマーを含んでもよい。例は、任意選択的に変性されたカルボキシメチルセルロース、ポリ（エチレングリコール）、ポリ（ビニルアルコール）、ポリアクリレートなどのポリカルボキシレート、マレイン酸／アクリル酸コポリマー及びラウリルメタクリレート／アクリル酸コポリマー、並びにカルボキシレートポリマーである。
【０１２９】
好適なカルボキシレートポリマーとしては、マレアート／アクリレートランダムコポリマー又はポリアクリレートホモポリマーが挙げられる。カルボキシレートポリマーは、４，０００Ｄａ〜９，０００Ｄａ又は６，０００Ｄａ〜９，０００Ｄａの分子量を有するポリアクリレートホモポリマーであってもよい。他の好適なカルボキシレートポリマーは、マレイン酸とアクリル酸とのコポリマーであり、４，０００Ｄａ〜９０，０００Ｄａの範囲の分子量を有し得る。
【０１３０】
他の好適なカルボキシレートポリマーは、（ｉ）５０重量％から９８重量％未満の、カルボキシル基を含む１つ以上のモノマーに由来する構造単位；（ｉｉ）スルホネート部分を含む１つ以上のモノマーから誘導される１重量％から４９重量％未満の構造単位；並びに（ｉｉｉ）式（Ｉ）及び（ＩＩ）によって表されるエーテル結合含有モノマーから選択される１種類以上のモノマーから誘導される１〜４９重量％の構造単位を含む、コポリマーである：
【０１３１】
【化７】
2021513590.tif 000008
［式（Ｉ）中、Ｒ０は、水素原子又はＣＨ３基を表し、Ｒは、ＣＨ２基、ＣＨ２ＣＨ２基又は単結合を表し、Ｘは、０〜５の数を表すが、ただし、Ｒが単結合である場合、Ｘは１〜５の数を表し、Ｒ１は、水素原子又はＣ１〜Ｃ２０有機基である］、
【０１３２】
【化８】
2021513590.tif 000009
［式（ＩＩ）中、Ｒ０は、水素原子又はＣＨ３基を表し、Ｒは、ＣＨ２基、ＣＨ２ＣＨ２基、又は単結合を表し、Ｘは、０〜５の数を表し、Ｒ１は、水素原子又はＣ１〜Ｃ２０有機基である］。ポリマーは、少なくとも５０ｋＤａ、又は更には少なくとも７０ｋＤａの重量平均分子量を有することが好ましい場合がある。
【０１３３】
本組成物は、以下の一般構造：ビス（（Ｃ２Ｈ５Ｏ）（Ｃ２Ｈ４Ｏ）ｎ）（ＣＨ３）−Ｎ＋−ＣｘＨ２ｘ−Ｎ＋−（ＣＨ３）−ビス（（Ｃ２Ｈ５Ｏ）（Ｃ２Ｈ４Ｏ）ｎ）［式中、ｎ＝２０〜３０であり、ｘ＝３〜８である］を有する化合物、又はそのサルフェート化若しくはスルホネート化変異体などの１つ以上の両親媒性洗浄ポリマーを含んでいてよい。一態様では、このポリマーをサルフェート化又はスルホネート化して、双性汚れ懸濁ポリマーを得る。
【０１３４】
本組成物は、好ましくは、布地及び表面からグリース粒子を除去するように、親水性及び特性が釣り合っている両親媒性アルコキシル化グリース洗浄用ポリマーを含む。好ましい両親媒性アルコキシル化グリース洗浄用ポリマーは、コア構造と、そのコア構造に結合した複数のアルコキシレート基とを含む。これらは、好ましくは内側ポリエチレンオキシドブロック及び外側ポリプロピレンオキシドブロックを有するアルコキシル化ポリアルキレンイミンを含んでいてもよい。典型的には、これらは、０．００５〜１０重量％、一般的には０．５〜８重量％の量で本発明の組成物に配合され得る。
【０１３５】
ポリアクリレートから調製されるものなどのアルコキシル化ポリカルボキシレートは、本明細書において、追加のグリース除去性能を提供するのに有用である。そのような材料は、国際公開第９１／０８２８１号及び国際出願ＰＣＴ９０／０１８１５号に記載されている。化学的に、これら材料は、７〜８つのアクリレート単位毎に１つのエトキシ側鎖を有するポリアクリレートを含む。側鎖は、式−（ＣＨ２ＣＨ２Ｏ）ｍ（ＣＨ２）ｎＣＨ３［式中、ｍは、２〜３であり、ｎは、６〜１２である］のものである。側鎖は、ポリアクリレート「主鎖」にエステル結合され、「櫛形」ポリマー型構造を提供する。分子量は変動し得るが、典型的には、約２０００〜約５０，０００の範囲内である。このようなアルコキシル化ポリカルボキシレートは、本明細書における組成物の約０．０５重量％〜約１０重量％含まれ得る。
【０１３６】
好ましくは、本組成物は、マレエート／アクリレートランダムコポリマー又はポリアクリレートホモポリマーなどの１つ以上のカルボキシレートポリマーを含む。一態様では、カルボキシレートポリマーは、４，０００Ｄａ〜９，０００Ｄａ又は６，０００Ｄａ〜９，０００Ｄａの分子量を有するポリアクリレートホモポリマーである。典型的には、これらは、０．００５〜１０重量％又は０．０５〜８重量％の量で本発明の組成物に配合される。
【０１３７】
組成物は、好ましくは、カチオン変性多糖ポリマーを含む。好ましくは、カチオン性多糖ポリマーは、カチオン変性ヒドロキシエチルセルロース、カチオン変性ヒドロキシプロピルセルロース、カチオン疎水変性ヒドロキシエチルセルロース、カチオン疎水変性ヒドロキシプロピルセルロース、又はこれらの混合物から選択され、より好ましくは、カチオン変性ヒドロキシエチルセルロース、カチオン疎水変性ヒドロキシエチルセルロース、又はこれらの混合物から選択される。
【０１３８】
汚れ放出ポリマー：組成物は、汚れ放出ポリマーを含んでもよい。好適な汚れ放出ポリマーは、以下の構造（Ｉ）、（ＩＩ）又は（ＩＩＩ）のうちの１つによって特定される構造を有する：
（Ｉ）−［（ＯＣＨＲ１−ＣＨＲ２）ａ−Ｏ−ＯＣ−Ａｒ−ＣＯ−］ｄ
（ＩＩ）−［（ＯＣＨＲ３−ＣＨＲ４）ｂ−Ｏ−ＯＣ−ｓＡｒ−ＣＯ−］ｅ
（ＩＩＩ）−［（ＯＣＨＲ５−ＣＨＲ６）ｃ−ＯＲ７］ｆ
［式中、
ａ、ｂ及びｃは、１〜２００であり、
ｄ、ｅ及びｆは、１〜５０であり、
Ａｒは、１，４−置換フェニレンであり、
ｓＡｒは、５位がＳＯ３Ｍｅで置換されている１，３−置換フェニレンであり、
Ｍｅは、Ｌｉ、Ｋ、Ｍｇ／２、Ｃａ／２、Ａｌ／３、アンモニウム、モノ−、ジ−、トリ−、若しくはテトラ−アルキルアンモニウム（アルキル基は、Ｃ１〜Ｃ１８アルキル又はＣ２〜Ｃ１０ヒドロキシアルキルである）、又はこれらの混合物であり、
Ｒ１、Ｒ２、Ｒ３、Ｒ４、Ｒ５及びＲ６は、独立して、Ｈ、又はＣ１〜Ｃ１８のｎ−若しくはイソ−アルキルから選択され、
Ｒ７は、直鎖若しくは分枝鎖Ｃ１〜Ｃ１８アルキル、又は直鎖若しくは分枝鎖Ｃ２〜Ｃ３０アルケニル、又は５個〜９個の炭素原子を有するシクロアルキル基、又はＣ８〜Ｃ３０アリール基、又はＣ６〜Ｃ３０アリールアルキル基である］。
【０１３９】
好適な汚れ放出ポリマーは、Ｃｌａｒｉａｎｔから、ＴｅｘＣａｒｅ（登録商標）シリーズのポリマーとして、例えば、ＴｅｘＣａｒｅ（登録商標）ＳＲＡ１００、ＳＲＡ３００、ＳＲＮ１００、ＳＲＮ１７０、ＳＲＮ２４０、ＳＲＮ２６０、ＳＲＮ３００及びＳＲＮ３２５で販売されており、ＴｅｘＣａｒｅ（登録商標）ＳＲＡ３００、ＳＲＮ２４０及びＳＲＡ  ３００が特に好ましい。他の好適な汚れ放出ポリマーは、Ｓｏｌｖａｙにより、Ｒｅｐｅｌ−ｏ−Ｔｅｘ（登録商標）シリーズのポリマー、例えば、Ｒｅｐｅｌ−ｏ−Ｔｅｘ（登録商標）ＳＦ２、ＳＲＰ６及びＲｅｐｅｌ−ｏ−Ｔｅｘ（登録商標）Ｃｒｙｓｔａｌとして販売されている。好ましくは、本発明の組成物は、１つ以上の汚れ放出ポリマーを含む。他の好適な汚れ放出ポリマーは、Ｍａｒｌｏｑｕｅｓｔポリマー（例えば、Ｓａｓｏｌにより供給されているＭａｒｌｏｑｕｅｓｔ  ＳＬなど）である。
【０１４０】
再付着防止ポリマー：好適な再付着防止ポリマーとしては、ポリエチレングリコールポリマー及び／又はポリエチレンイミンポリマーが挙げられる。
【０１４１】
好適なポリエチレングリコールポリマーとしては、（ｉ）ポリエチレングリコールを含む親水性主鎖、並びに（ｉｉ）Ｃ４〜Ｃ２５アルキル基、ポリプロピレン、ポリブチレン、飽和Ｃ１〜Ｃ６モノカルボン酸のビニルエステル、アクリル酸又はメタクリル酸のＣ１〜Ｃ６アルキルエステル、及びこれらの混合物からなる群から選択される疎水性側鎖（複数可）を含む、ランダムグラフトコポリマーが挙げられる。好適なポリエチレングリコールポリマーは、ランダムグラフト化ポリ酢酸ビニル側鎖を有するポリエチレングリコール骨格を有する。ポリエチレングリコール骨格の平均分子量は、２，０００Ｄａ〜２０，０００Ｄａ、又は４，０００Ｄａ〜８，０００Ｄａの範囲であり得る。ポリエチレングリコール骨格のポリ酢酸ビニル側鎖に対する分子量比は、１：１〜１：５又は１：１．２〜１：２の範囲であり得る。エチレンオキシド単位当たりのグラフト部位の平均数は、１未満、又は０．８未満であってもよく、エチレンオキシド単位当たりのグラフト部位の平均数は、０．５〜０．９の範囲であってもよく、又はエチレンオキシド単位当たりのグラフト部位の平均数は、０．１〜０．５、又は０．２〜０．４の範囲であってもよい。好適なポリエチレングリコールポリマーは、Ｓｏｋａｌａｎ  ＨＰ２２である。好適なポリエチレングリコールポリマーについては、国際公開第０８／００７３２０号に記載されている。
【０１４２】
典型的には、これらのポリマーは、存在する場合には、各々、０．００５〜１０重量％、より典型的には０．０５〜８重量％の量で本発明の組成物に組み込まれる。
【０１４３】
セルロース系ポリマー：好ましくは、組成物はセルロース系ポリマーを含む。好適なセルロース系ポリマーは、アルキルセルロース、アルキルアルコキシアルキルセルロース、カルボキシルアルキルセルロース、アルキルカルボキシアルキルセルロース、スルホアルキルセルロースから選択され、より好ましくは、カルボキシメチルセルロース、メチルセルロース、メチルヒドロキシエチルセルロース、メチルカルボキシメチルセルロース、及びこれらの混合物から選択される。
【０１４４】
好ましいカルボキシメチルセルロースは、０．５〜０．９のカルボキシメチル置換度、及び１００，０００Ｄａ〜３００，０００Ｄａの分子量を有する。
【０１４５】
好適なカルボキシメチルセルロースは、例えば、国際公開第０９／１５４９３３号に記載されているように、０．６５超の置換度及び０．４５超のブロック性度を有する。
【０１４６】
ケアポリマー：好適なケアポリマーとしては、カチオン変性及び／又は疎水変性されたセルロース系ポリマーが挙げられる。かかる変性されたセルロースポリマーは、洗濯サイクル中に布地に抗摩擦効果及び染料ロック効果をもたらし得る。好適なセルロース系ポリマーとしては、カチオン変性ヒドロキシエチルセルロースが挙げられる。好適なケアポリマーとしては、カチオン性及び／又は疎水変性されたグアーポリマーも挙げられる。他の好適なケアポリマーとしては、染料ロックポリマー、例えば、イミダゾール及びエピクロロヒドリンの縮合によって、好ましくは１：４：１の比率で生成される縮合オリゴマーが挙げられる。好適な市販の染料ロックポリマーは、Ｐｏｌｙｑｕａｒｔ（登録商標）ＦＤＩ（Ｃｏｇｎｉｓ）である。
【０１４７】
他の好適なケアポリマーとしては、アミノシリコーンが挙げられ、アミノシリコーンは、布地感触効果及び布地形状維持効果をもたらし得る。
【０１４８】
アルコキシル化ポリアルキレンイミン：組成物は、アルコキシル化ポリアルキレンイミンを含んでもよく、当該アルコキシル化ポリアルキレンイミンは、ポリアルキレンイミンコアにおける少なくとも１つの窒素原子に結合した１つ以上の側鎖を有するポリアルキレンイミンコアを有し、当該アルコキシル化ポリアルキレンイミンは、（ＰＥＩ）ａ−（ＥＯ）ｂ−Ｒ１の実験式（Ｉ）［式中、ａは、当該アルコキシル化ポリエチレンイミンのポリアルキレンイミンコアの平均数平均分子量（ＭＷＰＥＩ）であり、１００〜１００，０００ダルトンの範囲であり、ｂは、当該アルコキシル化ポリアルキレンイミンの当該１つ以上の側鎖における平均エトキシル化度であり、５〜４０の範囲であり、Ｒ１は、独立して、水素、Ｃ１〜Ｃ４アルキル、及びこれらの組み合わせからなる群から選択される］を有する。
【０１４９】
組成物は、アルコキシル化ポリアルキレンイミンを含んでもよく、当該アルコキシル化ポリアルキレンイミンは、ポリアルキレンイミンコアにおける少なくとも１つの窒素原子に結合した１つ以上の側鎖を有するポリアルキレンイミンコアを有し、当該アルコキシル化ポリアルキレンイミンは、（ＰＥＩ）ｏ−（ＥＯ）ｍ（ＰＯ）ｎ−Ｒ２又は（ＰＥＩ）ｏ−（ＰＯ）ｎ（ＥＯ）ｍ−Ｒ２の実験式（ＩＩ）［式中、ｏは、アルコキシル化ポリアルキレンイミンのポリアルキレンイミンコアの平均数平均分子量（ＭＷＰＥＩ）であり、１００〜１００，０００ダルトンの範囲であり、ｍは、１０〜５０の範囲の、当該アルコキシル化ポリアルキレンイミンの当該１つ以上の側鎖における平均エトキシル化度であり、ｎは、１〜５０の範囲の、当該アルコキシル化ポリアルキレンイミンの当該１つ以上の側鎖における平均プロポキシル化度であり、Ｒ２は、独立して、水素、Ｃ１〜Ｃ４アルキル、及びこれらの組み合わせからなる群から選択される］を有する。
【０１５０】
染料制御剤
洗浄組成物は、典型的には、洗浄組成物の約０．０２重量％〜約１重量％、又は約０．０５重量％〜約０．５重量％の濃度で洗浄組成物中に存在する、染料制御剤を含んでもよい。
【０１５１】
染料制御剤は、（ｉ）スルホン化フェノール／ホルムアルデヒドポリマー、（ｉｉ）尿素誘導体、（ｉｉｉ）染料で分子インプリントされた、エチレン性不飽和モノマーのポリマー、（ｉｖ）約２μｍ以下の平均直径を有する、非水溶性ポリアミドからなる繊維、（ｖ）ベンゾオキサジンモノマー化合物の重合から得ることができるポリマー、及び（ｖｉ）これらの組み合わせからなる群から選択され得る。これらの染料制御剤を、以下でより詳細に説明する。
【０１５２】
（ｉ）スルホン化フェノール／ホルムアルデヒドポリマー
染料制御剤は、スルホン化フェノール／ホルムアルデヒドポリマーを含んでよい。スルホン化フェノール／ホルムアルデヒドポリマーは、ホルムアルデヒドと、フェノール、クレゾール、キシレノール、ノニルフェノール、オクチルフェノール、ブチルフェノール、フェニルフェノール、２，２−ビス−４−ヒドロキシフェニルプロパン、アニソール、レゾルシノール、ビスフェノールＡ、４，４’−、２，２’−又は４，２’−ジヒドロキシジフェニルエーテル、フェノールスルホン酸、アニソールスルホン酸、ジオキシジフェニルスルホン、４−ヒドロキシジフェニルスルホン、ナフトール又はナフチルスルホン酸との縮合生成物から選択され得る。好適な例としては、Ｓｕｐａｒｅｘ（登録商標）Ｏ．ＩＮ（Ｍ１）、Ｎｙｌｏｆｉｘａｎ（登録商標）Ｐ（Ｍ２）、Ｎｙｌｏｆｉｘａｎ（登録商標）ＰＭ（Ｍ３）、及びＮｙｌｏｆｉｘａｎ（登録商標）ＨＦ（Ｍ４）（全て、Ａｒｃｈｒｏｍａ（Ｒｅｉｎａｃｈ，Ｓｗｉｔｚｅｒｌａｎｄ）から供給）が挙げられる。
【０１５３】
（ｉｉ）尿素誘導体、
染料制御剤は、尿素誘導体を含んでもよい。尿素誘導体は、式Ｉ：
式Ｉ
（Ａ）ｋＡｒ−ＮＨ−Ｃ（Ｏ）−ＮＨ−Ａｒ（Ａ）ｌ−ＮＨ［−Ｃ（Ｏ）−ＮＨ−Ｌ−ＮＨ−Ｃ（Ｏ）−ＮＨ−Ａｒ（Ａ）ｍＮＨ］ｎ−Ｃ（Ｏ）−ＮＨ−Ａｒ（Ａ）ｋ
［式中、
Ａｒは、芳香族基、スチルベン基、又は、１〜１２個の炭素原子を有する、直鎖、分枝鎖、若しくは環状、飽和若しくは１回又は複数回のエチレン性不飽和炭化水素基を表し、
Ｌは、アリーレン基又はスチルベン基を表し、
Ａは、−ＳＯ３Ｍ又は−ＣＯ２Ｍを表し、
Ｍは、Ｈ又はアルカリ金属原子を表し、
互いに関係なく、ｋ及びｍは、０、１、２又は３を表し、ｌ＋ｍ≧１であり、
ｎは、１〜６の数である］による構造を有し得る。
【０１５４】
尿素誘導体の好適な例としては、以下の式ＩＩ及びＩＩＩによる化合物が挙げられる。
【０１５５】
式ＩＩは以下であり、式中、Ｐｈはフェニル基であり、ｎは１、２、３又は４であり、置換基−ＳＯ３Ｈはオルト位にあり、置換基−ＣＨ３はオルト位にある。
【０１５６】
【化９】
2021513590.tif 000010
【０１５７】
式ＩＩＩは以下であり、式中、Ｐｈはフェニル基であり、ｎは１、２、３、又は４であり、置換基−ＳＯ３Ｈはオルト位にあり、置換基−ＣＨ３はオルト位にある。
【０１５８】
【化１０】
2021513590.tif 000011
【０１５９】
（ｉｉｉ）染料で分子インプリントされた、エチレン性不飽和モノマーのポリマー
染料制御剤は、染料で分子インプリントされた、エチレン性不飽和モノマーのポリマーを含んでよい。分子インプリント染料の製造方法は、Ｇ．Ｚ．Ｋｙｚａｓ  ｅｔ  ａｌ，Ｃｈｅｍｉｃａｌ  Ｅｎｇｉｎｅｅｒｉｎｇ  Ｊｏｕｒｎａｌ，Ｖｏｌｕｍｅ  １４９，Ｉｓｓｕｅｓ  １−３，１  Ｊｕｌｙ  ２００９，Ｐａｇｅｓ  ２６３−２７２に記載されている。
【０１６０】
１つの例示的なポリマーは、以下のように合成することができる：４．０５ｇ（２０ｍｍｏｌ）のエチレングリコールモノメタクリレート、０．３４ｇ（４ｍｍｏｌ）のメタクリル酸、及び２．１８ｇ（３．２ｍｍｏｌ）の二ナトリウム−８−アニリノ−５−［［４−［（３−スルホナトフェニル）ジアゼニル］ナフタレン−１−イル］ジアゼニル］ナフタレン−１−スルホネート（アシッドブルー１１３）を１００ｍＬのジメチルホルムアミドに窒素雰囲気下で投入し、室温で２時間撹拌する。次に、２２ｍｇのアゾイソブチロニトリルを添加し、反応混合物を超音波浴中で１５分間脱気し、７５℃で１２時間撹拌する。残渣を分離し、アセトン及び温水で洗浄し、ソックスレー抽出器中の５００ｍＬのメタノールで８時間抽出する。乾燥後、３．５ｇの脆性濃紫色の生成物が得られる。
【０１６１】
（ｉｖ）非水溶性ポリアミドからなる繊維
染料制御剤は、非水溶性ポリアミドからなる繊維を含んでもよい。繊維の平均直径は、２μｍ以下であってよい。例示的な非水溶性ポリアミド繊維としては、ポリアミド−６及び／又はポリアミド６，６から生成されるものが挙げられる。平均繊維直径は、好適な画像解析ソフトウェア、例えばＰｈｅｎｏｍ−Ｗｏｒｌｄ  Ｂ．Ｖ．（Ｅｉｎｄｈｏｖｅｎ，Ｔｈｅ  Ｎｅｔｈｅｒｌａｎｄｓ）から供給されるＦｉｂｅｒＭｅｔｒｉｃ（登録商標）繊維測定ソフトウェアと併せて、走査電子顕微鏡によって測定することができる。
【０１６２】
（ｖ）ベンゾオキサジンモノマー化合物の重合から得ることができるポリマー
染料制御剤は、ベンゾオキサジンモノマー化合物の重合から得ることができるポリマーを含んでもよい。ベンゾオキサジンモノマー化合物の重合から得ることができるポリマーは、式ＩＶ、式Ｖ、又はこれらの混合物から選択されてもよい。
【０１６３】
【化１１】
2021513590.tif 000012
式ＩＶ及び式Ｖの式中、
ｑは、１〜４の整数であり、
ｎは、２〜２０，０００の数であり、
各繰り返し単位中のＲは、水素又は、１〜８個の炭素原子を含む直鎖若しくは分枝鎖の任意に置換されたアルキル基から互いに独立して選択され、
Ｚは、水素（ｑ＝１）、アルキル（ｑ＝１）、アルキレン（ｑ＝２〜４）、カルボニル（ｑ＝２）、酸素（ｑ＝２）、硫黄（ｑ＝２）、スルホキシド（ｑ＝２）、スルホン（ｑ＝２）、及び直接共有結合（ｑ＝２）から選択され、
Ｒ１は、共有結合又は１〜１００個の炭素原子を含有する二価結合基を表し、
Ｒ２は、水素、ハロゲン、アルキル、アルケニル、及び／又はベンゾオキサジン構造から対応するナフトオキサジン構造を形成する二価の基から選択され、
Ｙは、１〜１５個の炭素原子を含有する直鎖又は分枝鎖の、任意に置換されたアルキル基、任意に１個以上のヘテロ原子を含む脂環式基、任意に１個以上のヘテロ原子を含むアリール基、及び−（Ｃ＝Ｏ）Ｒ３から選択され、式中、Ｒ３は、１〜１５個の炭素原子を含有する直鎖又は分枝鎖の、任意に置換されたアルキル基、及びＸ−Ｒ４から選択され、Ｘは、Ｓ、Ｏ、及びＮＨから選択され、Ｒ４は、１〜１５個の炭素原子を含有する直鎖又は分枝鎖の、任意に置換されたアルキル基から選択され、
ｃは、１〜４の整数であり、
Ｂは、水素（ｃ＝１）、アルキル（ｃ＝１）、アルキレン（ｃ＝２〜４）、カルボニル（ｃ＝２）、酸素（ｃ＝２）、硫黄（ｃ＝２）、スルホキシド（ｃ＝２）、スルホン（ｃ＝２）、及び直接共有結合（ｃ＝２）から選択され、Ａは、ヒドロキシル基又は窒素含有複素環であり、
Ｒ５は、水素、ハロゲン、アルキル及びアルケニルから選択され、又はＲ５は、ベンゾオキサジン構造から対応するナフトオキサジン構造を形成する二価の基であり、
Ｒ６は、共有結合を表し、又は１〜１００個の炭素原子を含有する二価結合基である。
【０１６４】
ベンゾオキサジンモノマー化合物の重合から得ることができるポリマーは、式ＶＩによる化合物であってもよい。
【０１６５】
【化１２】
2021513590.tif 000013
式中、典型的にはｍ＝３５であり、ｎ＝６である。
【０１６６】
式ＶＩによる化合物は、５０ｍＬの酢酸エチル中の１６．２２  ｐ−クレゾールの溶液を、５０ｍＬの酢酸エチル中の９．３８ｇのパラホルムアルデヒド溶液（濃度９６％）に、１０分かけて滴下することによって生成することができる。次いで、２００ｍＬの酢酸エチル中の３０９．９ｇのＪｅｆｆａｍｉｎ  Ｍ２０７０（Ｈｕｎｔｓｍａｎ、ＥＯ／ＰＯ比１０：３１）を３０分かけて添加し、温度を１０℃未満に維持した。１０分間撹拌した後、反応混合物を還流下で６時間加熱した。冷却後、反応混合物を濾過し、任意の形成された水と共に溶媒を真空下で除去した。３１８．９０ｇの対応する重合可能なベンゾオキサジン化合物を得た。
【０１６７】
アミン
本明細書に記載の洗浄組成物は、アミンを含んでもよい。洗浄組成物は、組成物の約０．１重量％〜約１０重量％、約０．２重量％〜約５重量％、約０．５重量％〜約４重量％、約０．１重量％〜約４重量％、又は約０．１重量％〜約２重量％のアミンを含んでもよい。本アミンは、それが使用される洗浄媒体のｐＨに応じてプロトン化を受けることができる。アミンの非限定例としては、限定されるものではないが、エーテルアミン、環状アミン、ポリアミン、オリゴアミン（例えばトリアミン、ジアミン、ペンタアミン、テトラアミン）、又はこれらの組み合わせが挙げられる。本明細書に記載の組成物は、オリゴアミン、エーテルアミン、環状アミン、及びこれらの組み合わせからなる群から選択されるアミンを含んでもよい。いくつかの態様では、アミンはアルカノールアミンではない。いくつかの態様では、アミンはポリアルキレンイミンではない。好適なオリゴアミンの例としては、テトラエチレンペンタミン、トリエチレンテトラアミン、ジエチレントリアミン、及びこれらの混合物が挙げられる。エーテルアミン及び環状アミンが特に好ましい場合がある。
【０１６８】
漂白剤：好適な漂白剤としては、過酸化水素、漂白活性剤、漂白触媒、予成形過酸、及びこれらの任意の組み合わせが挙げられる。とりわけ好適な漂白剤としては、過酸化水素源と漂白活性剤及び／又は漂白触媒との組み合わせが挙げられる。
【０１６９】
過酸化水素源：好適な過酸化水素源としては過ホウ酸ナトリウム及び／又は過炭酸ナトリウムが挙げられる。
【０１７０】
漂白活性剤：好適な漂白活性剤としては、テトラアセチルエチレンジアミン及び／又はアルキルオキシベンゼンスルホネートが挙げられる。
【０１７１】
漂白触媒：組成物は、漂白触媒を含んでもよい。好適な漂白触媒としては、オキサジリジニウム系漂白触媒、遷移金属漂白触媒、特にマンガン及び鉄漂白触媒が挙げられる。好適な漂白触媒は、以下の一般式に対応する構造を有する：
【０１７２】
【化１３】
2021513590.tif 000014
［式中、Ｒ１３は、２−エチルヘキシル、２−プロピルへプチル、２−ブチルオクチル、２−ペンチルノニル、２−ヘキシルデシル、ｎ−ドデシル、ｎ−テトラデシル、ｎ−ヘキサデシル、ｎ−オクタデシル、イソ−ノニル、イソ−デシル、イソ−トリデシル及びイソ−ペンタデシルからなる群から選択される］。
【０１７３】
予成形過酸：好適な予形成過酸としては、フタルイミドペルオキシカルボン酸が挙げられる。しかしながら、組成物は、予成形過酸を実質的に含まないことが好ましい。「実質的に含まないとは」、「意図的に添加されたものがない」ことを意味する。
【０１７４】
他の酵素：他の好適な酵素は、植物由来、細菌由来又は真菌由来及びこれらの変異体を含む、ペルオキシダーゼ／オキシダーゼなどの漂白酵素である。市販のペルオキシダーゼとしては、Ｇｕａｒｄｚｙｍｅ（登録商標）（Ｎｏｖｏｚｙｍｅｓ  Ａ／Ｓ）が挙げられる。他の好適な酵素としては、Ｇｅｎｔｌｅ  Ｐｏｗｅｒ  Ｂｌｅａｃｈ（商標）に使用される酵素などのリンオキシダーゼ及びペルヒドロラーゼが挙げられる。
【０１７５】
光沢剤：好適な光沢剤としては、ジ−スチリルビフェニル化合物（例えばＴｉｎｏｐａｌ（登録商標）ＣＢＳ−Ｘ）、ジ−アミノスチルベンジ−スルホン酸化合物（例えばＴｉｎｏｐａｌ（登録商標）ＤＭＳ  ｐｕｒｅ  Ｘｔｒａ及びＢｌａｎｋｏｐｈｏｒ（登録商標）ＨＲＨ）、並びにピラゾリン化合物（例えばＢｌａｎｋｏｐｈｏｒ（登録商標）ＳＮ）、並びにクマリン化合物（例えばＴｉｎｏｐａｌ（登録商標）ＳＷＮ）が挙げられる。
【０１７６】
好ましい増白剤は、２（４−スチリル−３−スルホフェニル）−２Ｈ−ナフトール（napthol）［１，２−ｄ］トリアゾールナトリウム、４，４’−ビス｛［（４−アニリノ−６−（Ｎメチル−Ｎ−２−ヒドロキシエチル）アミノ１，３，５−トリアジン−２−イル）］アミノ｝スチルベン−２−２−ジスルホン酸二ナトリウム、４，４’−ビス｛［（４−アニリノ−６−モルホリノ−１，３，５−トリアジン−２−イル）］アミノ｝スチルベン−２−２’ジスルホン酸二ナトリウム、及び４，４’−ビス（２−スルホスチリル）ビフェニル二ナトリウムである。好適な蛍光光沢剤は、Ｃ．Ｉ．蛍光光沢剤２６０であり、これは、そのβ若しくはα結晶形態で使用しても、又はこれらの形態の混合物で使用してもよい。
【０１７７】
ｐＨ
好ましくは、１重量％脱イオン水溶液中の本発明の組成物のｐＨは、６．５超〜１１、より好ましくは７〜９未満である。組成物が抗菌目的のために使用される場合、典型的には１〜６．５、好ましくは１〜３の酸性ｐＨが有用であり得る。本発明による好ましい洗浄組成物、特に洗濯用洗浄組成物は、１重量％脱イオン水溶液において９未満、好ましくは７〜８．９のｐＨをもたらす。
【０１７８】
封入有益剤
組成物は、封入有益剤を更に含んでよい。封入有益剤は、コアを取り囲むシェルを含んでもよい。組成物は、有益剤を含んでもよい。有益剤は、香料原料を含んでもよい。
【０１７９】
シェルは、アミノ樹脂コポリマー、アクリル、アクリレート、及びこれらの混合物からなる群から選択される物質を含んでもよい。アミノ樹脂コポリマーは、メラミン−ホルムアルデヒド、尿素−ホルムアルデヒド、架橋メラミンホルムアルデヒド、又はこれらの混合物であってもよい。
【０１８０】
シェルは、本開示の組成物を用いて処理される箇所への香料マイクロカプセルの沈着及び／又は定着に役立つ１つ以上の材料（例えばポリマー）でコーティングされてもよい。ポリマーは、以下のものからなる群から選択されるカチオン性ポリマーであってもよい。多糖類、カチオン変性デンプン、カチオン変性グアー、ポリシロキサン、ポリジアリルジメチルアンモニウムハライド、ポリジアリルジメチルアンモニウムクロリド及びビニルピロリドンのコポリマー、アクリルアミド、イミダゾール、イミダゾリニウムハライド、イミダゾリウムハライド、ポリビニルアミン、ポリビニルアミン及びＮ−ビニルホルムアミドのコポリマー、及びこれらの混合物。
【０１８１】
組成物は、有益剤を含んでもよい。好適な有益剤として、香料原料、シリコーンオイル、ワックス、炭化水素類、高級脂肪酸、精油、脂質、皮膚冷却剤、ビタミン、日焼け止め剤、酸化防止剤、グリセリン、触媒、漂白剤粒子、二酸化ケイ素粒子、悪臭軽減剤、臭気制御材料、キレート化剤、帯電防止剤、柔軟剤、昆虫及びガ駆除剤、着色剤、酸化防止剤、キレート剤、増粘剤、ドレープ及びフォーム調整剤、平滑剤、しわ抑制剤、衛生化剤、消毒剤、細菌抑制剤、カビ抑制剤、白カビ抑制剤、抗ウィルス剤、乾燥剤、耐汚染剤、汚れ放出剤、布地リフレッシュ剤及び洗いたて感維持剤、塩素漂白臭気抑制剤、染料固定剤、染料移染防止剤、色保持剤、蛍光増白剤類、色復元／再生剤、抗退色剤、白色増強剤、抗磨耗剤、耐磨耗剤、布地一体化剤、摩耗防止剤、けば立ち防止剤、抑泡剤、消泡剤、紫外線保護剤、日褪せ阻害剤、抗アレルギー剤、酵素、防水剤、布地快適剤、耐収縮剤、耐伸剤、伸縮回復剤、スキンケア剤、グリセリン、及び天然活性物質、抗菌活性物質、制汗剤活性物質、カチオン性ポリマー、染料、並びにこれらの混合物からなる群から選択される材料が挙げられる。有益剤は、香料原料を含んでもよい。
【０１８２】
組成物は、総組成物重量に基づいて、約０．０１重量％〜約１０重量％、又は約０．１重量％〜約５重量％、又は約０．２重量％〜約１重量％の封入有益剤を含んでもよい。封入有益剤は、砕けやすくてもよく、及び／又は平均粒径が約１０マイクロメートル〜約５００マイクロメートル又は約２０マイクロメートル〜約２００マイクロメートルであってもよい。
【０１８３】
好適な封入有益剤は、Ｅｎｃａｐｓｙｓ，ＬＬＣ（Ａｐｐｌｅｔｏｎ，Ｗｉｓｃｏｎｓｉｎ  ＵＳＡ）から入手することができる。
【０１８４】
ホルムアルデヒド捕捉剤は、こうした封入有益剤の中で用いることも、併せて用いることもできる。
【０１８５】
組成物の製造方法
本開示は、本明細書に記載される組成物の製造方法に関する。本発明の組成物は、固体（例えば、顆粒又は錠剤）であっても、又は液体形態であってもよい。好ましくは、本組成物は、液体形態である。組成物は、配合者が選択したいずれかのプロセスによって製造されてよく、これにはバッチプロセス、連続ループプロセス、又はこれらの組み合わせが挙げられる。
【０１８６】
液体の形態である場合、本発明の組成物は、水性（典型的には２重量％超、又は更には５若しくは１０重量％超の総含水量、最大で９０又は最大で８０重量％若しくは７０重量％の総含水量）であっても、又は非水性（典型的には、２重量％未満の総含水量）であってもよい。典型的には、本発明の組成物は、光学増白剤、ＤＴＩ、及び任意選択的な更なる添加剤材料の水溶液又は均質な分散液若しくは懸濁液の形態となり、これらの成分の一部は通常固体の形態であってもよく、本発明の組成物の通常液体の成分（アルコールエトキシレート非イオン性液体、水性液体キャリア、及びその他のいずれかの通常液体の任意選択的な成分など）と組み合わせた成分である。このような溶液、分散液又は懸濁液は、許容可能な相安定性を有する。液体の形態であるとき、本発明の洗剤は、好ましくは、２０ｓ−１及び２１℃において１〜１５００センチポアズ（１〜１５００ｍＰａ＊ｓ）、より好ましくは１００〜１０００センチポアズ（１００〜１０００ｍＰａ＊ｓ）、最も好ましくは２００〜５００センチポアズ（２００〜５００ｍＰａ＊ｓ）の粘度を有する。粘度は、従来法によって測定することができる。粘度は、ＴＡ  ｉｎｓｔｒｕｍｅｎｔｓ製のＡＲ５５０レオメータを用いて、直径４０ｍｍ及びギャップサイズ５００μｍのプレートスチールスピンドルを用いて測定してよい。２０ｓ−１における高剪断粘度及び０．０５−１における低剪断粘度は、２１Ｃで３分間の対数剪断速度掃引０．１−１〜２５−１から得ることができる。本明細書に記載する好ましいレオロジーは、内部構造剤を洗剤成分と共に使用して、又は外部レオロジー変性剤を使用することによって得ることができる。より好ましくは、洗剤液体組成物などの洗剤は、約１００センチポアズ〜１５００センチポアズ、より好ましくは１００〜１０００ｃｐｓの高剪断速度粘度を有する。洗剤液体組成物などの単位用量洗剤は、４００〜１０００ｃｐｓの高剪断速度粘度を有する。洗濯柔軟化組成物などの洗剤は、典型的には、１０〜１０００、より好ましくは１０〜８００ｃｐｓ、最も好ましくは１０〜５００ｃｐｓの高剪断速度粘度を有する。食器手洗い用組成物は、３００〜４０００ｃｐｓ、より好ましくは３００〜１０００ｃｐｓの高剪断速度粘度を有する。
【０１８７】
本明細書における液体の形態の洗浄及び／又は処理組成物は、任意の都合のよい順序でその成分を合わせ、得られた成分の組み合わせを混合、例えば、撹拌して、相安定液体洗剤組成物を形成することによって調製することができる。このような組成物を調製するプロセスでは、例えば、非イオン性界面活性剤、非界面活性液体キャリア及び他の任意選択的な液体成分などの液体成分の少なくとも大部分、又は更には実質的に全てを含有する液体マトリックスが形成され、当該液体成分は、この液体の組み合わせに剪断撹拌を付与することによって十分に混合されている。例えば、機械的撹拌機による高速撹拌が通常使用され得る。剪断撹拌を維持しつつ、任意のアニオン性界面活性剤及び固体形態の成分の実質的に全てを添加することができる。混合物の撹拌を継続し、必要であればその時点で増強させてよく、液相内の不溶性固相粒子の溶液又は均質な分散液を形成する。固体形態物質の一部又は全てをこの撹拌混合物に添加した後、含める任意の酵素物質の粒子、例えば、酵素粒状体を配合する。上述の組成物調製手順の変形例として、固体成分の１つ以上を、液体成分の１つ以上の微量の部分と予め混合した粒子の溶液又はスラリーとして、撹拌混合物に添加してよい。組成物成分の全てを添加した後、必要な粘度及び相安定特性を有する組成物を形成するのに十分な時間にわたって、混合物の撹拌を継続する。多くの場合、これは約３０分〜６０分の間の撹拌を伴う。
【０１８８】
本発明の組成物中の添加剤成分は、中間精製工程の有無にかかわらず、このような成分を生成する合成製品として当該組成物に配合することができる。精製工程が存在しない場合、使用する混合物は、一般的に、所望の成分又はその混合物（本明細書に示す割合は、別段規定されていない限り、成分自体の重量パーセントに関連する）、更には未反応の出発物質、並びに副反応及び／又は不完全な反応によって形成された不純物を含む。例えば、エトキシル化又は置換された成分に関して、混合物は、異なる程度のエトキシル化／置換を含む可能性がある。
【０１８９】
使用方法
本開示は、本開示の洗浄組成物を使用して硬質表面又は織物製品などの表面を洗浄する方法に関する。一般に、方法は、洗浄工程において、本明細書に記載の洗浄組成物を水と混合して水性液を形成する工程と、表面、好ましくは織物製品に水性液を接触させる工程と、を含む。標的表面は、油汚れを含み得る。
【０１９０】
典型的には上述のとおり調製された本発明の組成物を用いて、布地及び／又は硬質面の洗濯／処理に用いるための水性洗浄／処理溶液を形成することができる。一般的に、有効量のこのような組成物を、例えば従来の自動洗濯機内で水に添加して、このような水性洗濯／洗浄溶液を形成する。次いで、このようにして形成した水性洗浄溶液を、典型的には撹拌下で、その溶液で洗濯／処理しようとする高質表面又は布地と接触させる。水に添加して水性洗浄溶液を生成する本明細書の洗剤組成物の有効量は、水性洗浄溶液中に約５００〜２５，０００ｐｐｍ若しくは５００〜１５，０００ｐｐｍの組成物を生成するのに十分な量を含んでいてよく、又は約１，０００〜３，０００ｐｐｍの本明細書の洗剤組成物が水性洗浄溶液に供給される。
【０１９１】
典型的には、洗浄液は、洗浄液中の洗剤の濃度が０ｇ／Ｌ超〜５ｇ／Ｌ、又は１ｇ／Ｌ以上４．５ｇ／Ｌ以下、又は４．０ｇ／Ｌ以下、又は３．５ｇ／Ｌ以下、又は３．０ｇ／Ｌ以下、又は２．５ｇ／Ｌ以下、又は更には２．０ｇ／Ｌ以下、又は更には１．５ｇ／Ｌ以下になるような量で、洗浄組成物を洗浄水と接触させることによって形成される。布地又は織物製品を洗浄する方法は、トップローディング式又はフロントローディング式自動洗濯機で行ってもよく、又は手洗い用途で用いてもよい。これらの用途では、形成した洗浄液、及び洗浄液中の洗浄組成物の濃度は、主洗浄サイクルのものとなる。洗浄液の容積を決定するとき、いかなる任意のすすぎ工程中のいかなる水の投入量も含まない。
【０１９２】
洗浄液は、４０リットル以下の水、又は３０リットル以下、又は２０リットル以下、又は１０リットル以下、又は８リットル以下、又は更には６リットル以下の水を含み得る。洗浄液は、０リットルを超えて１５リットルまで、又は２リット以上１２リットル以下、又は更には８リットル以下の水を含み得る。典型的には、洗浄液１リットル当たり０．０１ｋｇ〜２ｋｇの布地を当該洗浄液に投入する。典型的には、洗浄液１リットル当たり０．０１ｋｇ以上、又は０．０５ｋｇ以上、又は０．０７ｋｇ以上、又は０．１０ｋｇ以上、又は０．１５ｋｇ以上、又は０．２０ｋｇ以上、又は０．２５ｋｇ以上の布地を当該洗浄液に投入する。任意に、５０ｇ以下、又は４５ｇ以下、又は４０ｇ以下、又は３５ｇ以下、又は３０ｇ以下、又は２５ｇ以下、又は２０ｇ以下、又は更には１５ｇ以下、又は更には１０ｇ以下の組成物を水に接触させて、洗浄液を形成する。かかる組成物は、典型的には、溶液中約５００ｐｐｍ〜約１５，０００ｐｐｍの濃度で用いられる。洗浄液の温度は、典型的には、約５℃〜約９０℃、好ましくは５℃〜約４０℃、より好ましくは５℃〜約３０℃、又は更には５℃〜約２０℃の範囲である。洗浄される表面が布地を含む場合、水の布地に対する比は典型的には約１：１〜約３０：１である。典型的には、本発明の洗剤を含む洗浄液のｐＨは３〜１１．５、より好ましくは７．５〜１２である。
【０１９３】
一態様では、任意に上記表面又は布地を洗浄及び／又はすすぐ工程と、当該表面又は布地を本明細書に開示する任意の組成物と接触させ、次いで、任意に当該表面又は布地を洗浄及び／又はすすぐ工程とを含むこのような方法を、任意の乾燥工程と共に開示する。
【０１９４】
このような表面又は布地の乾燥は、機械乾燥であろうと戸外乾燥であろうと、家庭環境又は工業環境のいずれかで使用される一般的な手段のうちのいずれか１つによって実行することができる。布地は、一般消費者の使用条件又は業務用条件で洗濯することができる任意の布地を含んでいてよく、本発明は、特にポリエステル及びナイロンなどの合成織物製品に好適であり、特に合成及びセルロース系布地及び／又は繊維を含む混紡布地及び／又は繊維の処理に好適である。合成布地の例は、ポリエステル、ナイロンであり、これらは、セルロース系繊維、例えば、ポリコットン布地との混紡布に存在し得る。溶液のｐＨは、典型的には、７〜１１、より一般的には、８〜１０．５である。本組成物は、典型的には、溶液中５００ｐｐｍ〜５，０００ｐｐｍの濃度で使用される。水温は、典型的には約５℃〜約９０℃の範囲である。水の布地に対する比は、典型的には、約１：１〜約３０：１である。
【実施例】
【０１９５】
実施例
６ウェルプレート（Ｃｏｓｔａｒ  ３５１６）を使用して洗浄性能を判定した。１．８７ｇ／Ｌ量の可溶性単位用量洗剤を添加することにより洗浄溶液を調製し、２分間磁気撹拌中に洗剤を溶解させた。この溶液５ｍＬを洗浄工程に使用した。以下の表に記載されるように、酵素を変化させて添加しながら、洗浄を数回実施した。洗浄温度を２０℃に設定し、４５０ｒｐｍで３０分間撹拌し、続いて２分間のすすぎ工程を行った。ウェルにつき１枚の２．５×２．５ｃｍのデンプン染み見本を加え、ＷＦＫのタピオカ（ＣＳ−２９）及びサラダドレッシング（ＣＳ−０６）染み源を使用した。条件毎に４回繰り返した。
【０１９６】
画像分析を使用して染みを分析した結果を、０が除去無しで、１００が完全除去を表す、染み除去指数（ＳＲＩ）値として示す。
【０１９７】
【表１】
2021513590.tif 000015
【０１９８】
【表２】
2021513590.tif 000016
【０１９９】
配合例
以下は、本開示に係る洗浄組成物の例示の実施例であり、限定を意図するものではない。
【０２００】
実施例１〜７：重質液体洗濯洗剤組成物。
【０２０１】
【表３】
2021513590.tif 000017
洗浄及び／又は処理組成物の総重量に基づく。酵素濃度は、原材料として報告される。
【０２０２】
実施例８〜１８：単位用量組成物。
【０２０３】
これら実施例は、単位用量洗濯洗剤用の様々な処方を提供する。組成物８〜１２は、１つの単位容量区画を含む。組成物を封入するために使用されるフィルムは、ポリビニルアルコール系フィルムである。
【０２０４】
【表４】
2021513590.tif 000018
洗浄及び／又は処理組成物の総重量に基づく。酵素濃度は、原材料として報告される。
【０２０５】
以下の実施例では、単位用量は３つの区画を有するが、同様の組成物を２つ、４つ又は５つの区画で作製することもできる。区画を封入するために使用されるフィルムは、ポリビニルアルコールである。
【０２０６】
【表５】
2021513590.tif 000019
【０２０７】
【表６】
2021513590.tif 000020
洗浄及び／又は処理組成物の総重量に基づいて、酵素レベルは原材料として報告する。
【０２０８】
実施例１９〜２４：手洗い用又は洗濯機、典型的にはトップローディング式洗濯機用の顆粒状洗濯洗剤組成物。
【０２０９】
【表７】
2021513590.tif 000021
【０２１０】
実施例２５〜３０：典型的にはフロントローディング式自動洗濯機用の顆粒状洗濯洗剤組成物。
【０２１１】
【表８】
2021513590.tif 000022
【０２１２】
【表９−１】
2021513590.tif 000023
【０２１３】
【表９−２】
2021513590.tif 000024
【０２１４】
本明細書にて開示された寸法及び値は、列挙された正確な数値に厳密に限定されるものとして理解されるべきではない。その代わりに、特に指示がない限り、このような寸法はそれぞれ、列挙された値とその値を囲む機能的に同等な範囲との両方を意味することが意図されている。例えば、「４０ｍｍ」と開示された寸法は、「約４０ｍｍ」を意味することが意図される。
【配列表】
2021513590000001.app
【国際調査報告】
2021513590.tif 000025
2021513590.tif 000026
2021513590.tif 000027